(57)【要約】  隣接した位置合わせされた複数の使い捨て手袋を収容するためのカートリッジが説明され、このカートリッジが、ベースと、使用時に複数の手袋のフィンガ部分を位置合わせするように構成される第１の要素とを備える。さらに、使い捨て手袋を供給するように構成される機械が説明され、この機械が、手袋の第１の部分に接触して保持するように、および１つまたは複数の手袋を収容するカートリッジ内に手袋を位置させる第１の位置から、口部分を開いて使用者が手袋を着用するのを可能にすることを目的として上記手袋の第２の部分を固着手段に接触させて保持することができる第２の位置まで、上記手袋を移動させるように、使用時に構成される関節アーム、を備える。【選択図】図２０
2019523836.tif 000002
【特許請求の範囲】
【請求項１】
隣接する、位置合わせされた複数の使い捨て手袋を受け入れるためのカートリッジであって、
−  ベースと、
−  前記複数の手袋のフィンガ部分を位置合わせするように使用時に構成される第１の要素と
を備える、カートリッジ。
【請求項２】
前記第１の要素が１つまたは複数の細長いストリップを備え、前記または各々のストリップが使用時に前記手袋のそれぞれの任意の２つの隣接するフィンガの間に位置する、請求項１に記載のカートリッジ。
【請求項３】
前記第１の要素が２つの細長いストリップを備え、各ストリップが使用時にそれぞれの手袋の２つの異なる隣接するフィンガの間に位置する、請求項２に記載のカートリッジ。
【請求項４】
前記または各々の細長いストリップが、前記ストリップの２つの側部に沿って、脆弱接続部分を有する、前記ベースの一部分を形成し、使用時に前記または各々のストリップは、前記脆弱接続部分が破損すると、前記ベースの残りの部分から延在するようにヒンジ式に展開可能であり、前記ストリップが前記ストリップの一方の端部において前記ベースの前記残りの部分にヒンジ式につながる、請求項２または請求項３に記載のカートリッジ。
【請求項５】
前記１つまたは複数の細長いストリップが、使用時に前記カートリッジの前記ベースの上に積み重ねられた、前記隣接する位置合わせされた手袋の最大深さに少なくとも等しい所定の高さを有する、請求項２から請求項４のいずれか１項に記載のカートリッジ。
【請求項６】
前記複数の手袋の各々の手袋の第１の部分を位置合わせするように使用時に構成される第２の要素をさらに備える、請求項１から５のいずれか１項に記載のカートリッジ。
【請求項７】
前記手袋の前記第１の部分が、前記手袋の前記フィンガ部分から遠位側にある、前記手袋の開いた端部である、請求項６に記載のカートリッジ。
【請求項８】
前記第２の要素が互いから離間される２つの隆起部分を備え、使用時に、前記２つの隆起部分の間に、前記または各々の手袋の前記開いた端部が置かれる、請求項７に記載のカートリッジ。
【請求項９】
前記２つの隆起部分が、概して前記手袋の前記開いた端部の幅である長さだけ離間される、請求項８に記載のカートリッジ。
【請求項１０】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項８または請求項９に記載のカートリッジ。
【請求項１１】
前記手袋の前記第１の部分が、平らに置かれた前記手袋の左側縁部および右側縁部のうちの一方または両方である、請求項６に記載のカートリッジ。
【請求項１２】
前記第２の要素が、概して、平らに置かれた前記手袋の前記左側縁部と前記右側縁部の間の幅である長さだけ互いから離間される２つの隆起部分を備える、請求項１１に記載のカートリッジ。
【請求項１３】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項１２に記載のカートリッジ。
【請求項１４】
前記カートリッジが使用時にクロージャ内で受けられるように構成される、請求項１から１３のいずれか１項に記載のカートリッジ。
【請求項１５】
前記クロージャが、前記ベース、および展開位置にあるときの前記第１の要素を収容するようにサイズ決定される蓋付き箱である、請求項１４に記載のカートリッジ。
【請求項１６】
前記ベースが前記クロージャの中へ摺動可能に受けられるように構成される、請求項１４または請求項１５に記載のカートリッジ。
【請求項１７】
前記カートリッジがクロージャの一部分を形成する、請求項１から１３のいずれか１項に記載のカートリッジ。
【請求項１８】
前記クロージャが、前記ベースを有しており、展開位置にあるときの前記第１の要素を収容するようにサイズ決定される蓋付き箱である、請求項１７に記載のカートリッジ。
【請求項１９】
請求項１から１８のいずれか１項に記載のカートリッジおよびクロージャ、ならびに一定の量の使い捨て手袋の組み合わせ。
【請求項２０】
隣接する、位置合わせされた複数の使い捨て手袋をカートリッジ内で前記カートリッジのベースの上方で位置決めするための方法であって、フィンガ部分が前記カートリッジの第１の要素と近位の関係において位置合わせされるように各手袋を位置決めするステップであって、各手袋が前記カートリッジ内で、隣接する手袋に対して積み重ねられるように位置合わせされる、ステップを含む、方法。
【請求項２１】
前記第１の要素が１つまたは複数の細長いストリップを備え、前記方法が、それぞれの前記手袋の任意の２つの隣接するフィンガの間に前記または各々のストリップを位置させるステップを含む、請求項２０に記載の方法。
【請求項２２】
前記または各々の細長いストリップが、前記ストリップの２つの側部に沿って配置される脆弱接続部分を破損させるステップ、次いで前記ベースの残りの部分に接合される前記ストリップの端部の周りで前記ストリップを移動させることにより前記ベースの前記残りの部分から延在するように前記ストリップをヒンジ式に展開するステップにより、前記ベースの一部分から形成される、請求項２１に記載の方法。
【請求項２３】
前記または各々の手袋の２つの隣接するフィンガの間に１つのストリップを位置させると同時に前記または各々の手袋の別の異なる２つの隣接するフィンガの間に第２のストリップを位置させるステップを含む、請求項２１または請求項２２に記載の方法。
【請求項２４】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項２１または請求項２２に記載の方法。
【請求項２５】
前記手袋の第１の部分が前記カートリッジの第２の要素に位置合わせされるように各手袋を位置決めするステップをさらに含み、各手袋が、前記第１および第２の要素に対する近位の関係により、前記カートリッジ内で隣接する手袋に対して積み重ねられるように位置合わせされる、請求項２０から２４のいずれか１項に記載の方法。
【請求項２６】
前記手袋の前記第１の部分が、前記手袋の前記フィンガ部分から遠位側にある、前記手袋の開いた端部である、請求項２５に記載の方法。
【請求項２７】
前記第２の要素が、前記ベースから延在しており、概して前記手袋の前記開いた端部の幅である長さだけ互いから離間される２つの隆起部分を備え、前記方法が、前記２つの隆起部分の間に前記手袋の前記第１の部分を置くステップを含む、請求項２６に記載の方法。
【請求項２８】
前記手袋の前記第１の部分が、平らに置かれるときの前記手袋の左側縁部および右側縁部のうちの一方または両方である、請求項２５に記載の方法。
【請求項２９】
前記第２の要素が、前記ベースから延在した２つの隆起部分であって、概して、平らに置かれたときの前記手袋の前記左側縁部と前記右側縁部の間の幅である長さだけ互いから離間される２つの隆起部分を備え、前記方法が、前記２つの隆起部分の間に前記手袋を置くステップを含む、請求項２８に記載の方法。
【請求項３０】
前記カートリッジをクロージャ内に位置させるか、または前記カートリッジ自体がクロージャの一部分を形成する場合には前記カートリッジの周りにクロージャを形成するステップをさらに含む、請求項２０から２９のいずれか１項に記載の方法。
【請求項３１】
前記クロージャを密閉するステップをさらに含む、請求項３０に記載の方法。
【請求項３２】
隣接する、位置合わせされた複数の使い捨て手袋を受け入れるためのカートリッジであって、
−  ベースと、
−  前記複数の使い捨て手袋の各々の手袋の第１の部分を位置合わせするように使用時に構成される第１の要素と
を備える、カートリッジ。
【請求項３３】
前記手袋の前記第１の部分が、前記手袋の前記または各々のフィンガ部分から遠位側にある、前記手袋の開いた端部である、請求項３２に記載のカートリッジ。
【請求項３４】
前記第１の要素が互いから離間される２つの隆起部分を備え、使用時に前記２つの隆起部分の間に、前記または各々の手袋の前記開いた端部が置かれる、請求項３３に記載のカートリッジ。
【請求項３５】
前記２つの隆起部分が、概して前記手袋の前記開いた端部の幅である長さだけ離間される、請求項３４に記載のカートリッジ。
【請求項３６】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項３４または請求項３５に記載のカートリッジ。
【請求項３７】
前記手袋の前記第１の部分が、平らに置かれた前記手袋の左側縁部および右側縁部のうちの一方または両方である、請求項３２に記載のカートリッジ。
【請求項３８】
前記第１の要素が、概して、平らに置かれた前記手袋の前記左側縁部と前記右側縁部の間の幅である長さだけ互いから離間される２つの隆起部分を備える、請求項３７に記載のカートリッジ。
【請求項３９】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項３８に記載のカートリッジ。
【請求項４０】
前記複数の手袋の前記フィンガ部分を位置合わせするように使用時に構成される第２の要素をさらに備える、請求項３２から３９のいずれか１項に記載のカートリッジ。
【請求項４１】
前記第２の要素が１つまたは複数の細長いストリップを備え、前記または各々のストリップが使用時に前記手袋の任意の２つの隣接するフィンガの間に位置する、請求項４０に記載のカートリッジ。
【請求項４２】
前記第２の要素が２つの細長いストリップを備え、各ストリップが展開時に前記手袋の２つの異なる隣接するフィンガの間に位置する、請求項４１に記載のカートリッジ。
【請求項４３】
前記または各々の細長いストリップが、前記ストリップの２つの側部に沿って、脆弱接続部分を有する、前記ベースの一部分を形成し、使用時に前記または各々のストリップが、前記脆弱接続部分が破損すると前記ベースの残りの部分から延在するようにヒンジ式に展開可能であり、前記ストリップが前記ストリップの一方の端部において前記ベースの前記残りの部分にヒンジ式につながる、請求項４１または４２に記載のカートリッジ。
【請求項４４】
前記１つまたは複数の細長いストリップが、使用時に前記カートリッジの前記ベース上に積み重ねられた、前記隣接する位置合わせされた手袋の最大深さに少なくとも等しい所定の高さを有する、請求項４１から請求項４３のいずれか１項に記載のカートリッジ。
【請求項４５】
前記カートリッジが使用時にクロージャ内で受けられるように構成される、請求項３２から４４のいずれか１項に記載のカートリッジ。
【請求項４６】
前記クロージャが、前記ベース、および展開位置にあるときの前記第１の要素を収容するようにサイズ決定される蓋付き箱である、請求項４５に記載のカートリッジ。
【請求項４７】
前記ベースが前記クロージャの中で摺動可能に受けられるように構成される、請求項４５または請求項４６に記載のカートリッジ。
【請求項４８】
前記カートリッジが前記クロージャの一部分を形成する、請求項３２から４４のいずれか１項に記載のカートリッジ。
【請求項４９】
前記クロージャが、前記ベースを有しており、展開位置にあるときの前記第１の要素を収容するようにサイズ決定される蓋付き箱である、請求項４８に記載のカートリッジ。
【請求項５０】
請求項３２から４９のいずれか１項に記載のカートリッジおよびクロージャ、ならびに一定の量の使い捨て手袋の組み合わせ。
【請求項５１】
隣接する、位置合わせされた複数の使い捨て手袋をカートリッジ内で前記カートリッジのベースの上方で位置決めするための方法であって、第１の部分が前記カートリッジの第１の要素と近位の関係において位置合わせされるように各手袋を位置決めするステップであって、各手袋が前記カートリッジ内で、隣接する手袋に対して積み重ねられるように位置合わせされる、ステップを含む、方法。
【請求項５２】
前記手袋の前記第１の部分が、前記手袋のフィンガ部分から遠位側にある、前記手袋の開いた端部である、請求項５１に記載の方法。
【請求項５３】
前記第１の要素が、前記ベースから延在しており、概して前記手袋の前記開いた端部の幅である長さだけ互いから離間される２つの隆起部分を備え、前記方法が、前記２つの隆起部分の間に前記手袋の前記第１の部分を置くステップを含む、請求項５１または請求項５２に記載の方法。
【請求項５４】
前記手袋の前記第１の部分が、平らに置かれた前記手袋の左側縁部および右側縁部のうちの一方または両方である、請求項５１に記載の方法。
【請求項５５】
前記第１の要素が、前記ベースから延在した２つの隆起部分であって、概して、平らに置かれたときの前記手袋の前記左側縁部と前記右側縁部の間の幅である長さだけ互いから離間される２つの隆起部分を備え、前記方法が、前記２つの隆起部分の間に前記手袋を置くステップを含む、請求項５４に記載の方法。
【請求項５６】
前記手袋の前記フィンガ部分が前記カートリッジの第２の要素に位置合わせされるように各手袋を位置決めするステップをさらに含み、各手袋が、前記第１および第２の要素に対する近位の関係により、前記カートリッジ内で、隣接する手袋に対して積み重ねられるように位置合わせされる、請求項５１から５５のいずれか１項に記載の方法。
【請求項５７】
前記第２の要素が１つまたは複数の細長いストリップを備え、前記方法が、前記手袋の任意の２つの隣接するフィンガの間に前記または各々のストリップを位置させるステップを含む、請求項５６に記載の方法。
【請求項５８】
前記または各々の細長いストリップが、前記ストリップの２つの側部に沿って配置される脆弱接続部分を破損させるステップ、次いで前記ベースの残りの部分に接合される前記ストリップの端部の周りで前記ストリップを移動させることにより前記ベースの残りの部分から延在するように前記ストリップをヒンジ式に展開するステップにより、前記ベースの一部分から形成される、請求項５７に記載の方法。
【請求項５９】
前記または各々の手袋の２つの隣接するフィンガの間に１つのストリップを位置させると同時に前記または各々の手袋の別の２つの隣接するフィンガの間に第２のストリップを位置させるステップを含む、請求項５７または請求項５８に記載の方法。
【請求項６０】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項５７または請求項５８に記載の方法。
【請求項６１】
前記カートリッジをクロージャ内に位置させるか、または前記カートリッジ自体がクロージャの一部分を形成する場合には前記カートリッジの周りに前記クロージャを形成するステップをさらに含む、請求項５１から６０のいずれか１項に記載の方法。
【請求項６２】
前記クロージャを密閉するステップをさらに含む、請求項６１に記載の方法。
【請求項６３】
隣接する、位置合わせされた複数の使い捨て手袋を支持する方法であって、
−  平面的要素を各手袋の開いた端部の中に摩擦により嵌合させるステップと、
−  前記または各々の手袋の中に嵌められた前記平面的要素が、カートリッジから延在する第１の要素に接触しているように前記手袋を位置決めするステップと
を含み、
前記または各々の手袋が、前記平面的要素および前記第１の要素の位置関係により位置合わせされるように支持される、
方法。
【請求項６４】
前記手袋のフィンガ部分が、前記カートリッジから延在する第２の要素に位置合わせされるように、前記または各々の手袋を位置決めするステップをさらに含む、請求項６３に記載の方法。
【請求項６５】
前記第２の要素が１つまたは複数の細長いストリップを備え、前記方法が、それぞれの手袋の任意の２つの隣接するフィンガの間に前記または各々のストリップを位置させるステップを含む、請求項６３または請求項６４に記載の方法。
【請求項６６】
前記または各々の手袋の２つの隣接するフィンガの間に１つのストリップを位置させると同時に前記または各々の手袋の別の２つの隣接するフィンガの間に第２のストリップを位置させるステップを含む、請求項６５に記載の方法。
【請求項６７】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項６５に記載の方法。
【請求項６８】
前記または各々の手袋から前記平面的要素を取り除くステップをさらに含む、請求項６３から６７のいずれか１項に記載の方法。
【請求項６９】
前記カートリッジをクロージャ内に位置させるか、または前記カートリッジ自体がクロージャの一部分を形成する場合には前記カートリッジの周りに前記クロージャを形成するステップをさらに含む、請求項５４から５９のいずれか１項に記載の方法。
【請求項７０】
前記クロージャを密閉するステップをさらに含む、請求項６９に記載の方法。
【請求項７１】
使い捨て手袋を供給するように構成される機械であって、
−  前記手袋の第１の部分に接触し前記第１の部分を保持するように、および１つまたは複数の手袋を収容するカートリッジ内に前記手袋が位置する第１の位置から、前記手袋の第２の部分が固着手段に接触し、前記固着手段によって保持されることが可能である第２の位置まで前記手袋を移動させるように、使用時に構成される関節アーム
を備え、
前記第２の位置になると、前記関節アームおよび固着手段の一方または両方が他方を基準として或る方向に移動可能となり、それにより使用時に前記手袋をその開いた端部において十分な広さまで広げて、それにより人間の手を入れることを可能にする、
機械。
【請求項７２】
前記関節アームが、前記手袋を前記第２の位置まで移動させるときに枢動可能に移動する、請求項７１に記載の機械。
【請求項７３】
前記関節アームが、前記機械の内部壁に位置する設置位置を中心として枢動可能に移動する、請求項７２に記載の機械。
【請求項７４】
前記固着手段が支持アームに配置され、前記支持アーム自体が前記固着手段を前記第２の位置まで移動させるように移動可能である、請求項７１から請求項７３のいずれか１項に記載の機械。
【請求項７５】
前記支持アームが細長く、前記関節アームの方に向かうかまたは前記関節アームから離れるかのいずれにおいても、その長手方向に沿って軸方向に移動可能である、請求項７４に記載の機械。
【請求項７６】
前記支持アームがテレスコープ式である、請求項７５に記載の機械。
【請求項７７】
前記関節アームが細長く、前記カートリッジの方に向かうかまたは前記カートリッジから離れるかのいずれにおいても、その長手方向に沿って軸方向に移動可能である、請求項７１に記載の機械。
【請求項７８】
前記手袋が前記第１の位置から移動された後、前記カートリッジが、前記関節アームの移動の軸方向に位置合わせされた状態から外れるように横方向に移動可能である、請求項７７に記載の機械。
【請求項７９】
前記カートリッジの前記横方向の移動により前記固着手段が露出し、前記固着手段が前記関節アームの移動の軸方向に位置合わせされて位置する、請求項７８に記載の機械。
【請求項８０】
使用時において、前記固着手段の方に向かう、前記関節アームのその移動の前記軸方向に沿ったさらなる移動によって、前記手袋が前記第２の位置に移動することになる、請求項７９に記載の機械。
【請求項８１】
前記関節アームのヘッド領域が前記関節アームの軸に接合されて前記関節アームの軸を中心として枢動可能であり、それにより、前記手袋を前記第１の位置から離すように移動させることの一部として、前記手袋が前記第１の位置にあるときに前記ヘッド領域を前記手袋の向きに位置合わせすることが可能となる、請求項７１に記載の機械。
【請求項８２】
前記ヘッド領域を前記手袋の物理的特徴部分に位置合わせすることを可能にするために前記関節アームの前記ヘッド領域に位置合わせ感知デバイスが取り付けられ、それにより前記関節アームのところでの前記手袋の接触および保持を改善する、請求項８１に記載の機械。
【請求項８３】
前記関節アームが細長く、その長手方向に沿って軸方向に移動可能であり、このような移動の１つが、前記手袋を前記第１の位置から離すように移動させることの一部として、前記カートリッジから離れるような移動である、請求項８１または請求項８２に記載の機械。
【請求項８４】
前記細長い関節アームがその長手方向に沿って軸方向にテレスコープ式に移動可能である、請求項８３に記載の機械。
【請求項８５】
前記関節アームの前記ヘッド領域の軸がさらに、前記細長い関節アームの移動の軸方向に位置合わせされないような向きに回転可能であり、それは、（ｉ）前記手袋を前記第１の位置から離すように移動させるために、前記手袋が前記第１の位置にあるときに、前記ヘッド領域を前記手袋の向きに位置合わせするのを可能にすること、および（ｉｉ）前記手袋を前記第２の位置に向かって移動させること、のうちの少なくとも１つを目的とする、請求項８３または請求項８４に記載の機械。
【請求項８６】
前記手袋を前記第２の位置の方に移動させることの一部として、前記ヘッド領域の軸が前記固着手段の向きの軸に位置合わせされるように回転可能である、請求項８５に記載の機械。
【請求項８７】
前記関節アームおよび前記ヘッド領域がさらに、前記手袋を前記第２の位置まで移動させて前記固着手段に接触させるために前記固着手段に向かう方向に移動可能となるように構成される、請求項８５または請求項８６に記載の機械。
【請求項８８】
前記関節アームにおいて、または適用可能である場合には前記関節アームの前記ヘッド領域において前記手袋の接触および保持を行うことが、吸引デバイスによるものであり、前記吸引デバイスが手袋の第１または第２の側を前記吸引デバイスに保持するのに空気圧を使用する、請求項７１から請求項８７のいずれか１項に記載の機械。
【請求項８９】
前記固着手段における前記手袋の接触および保持が吸引デバイスによるものであり、前記吸引デバイスが手袋の前記第１の側または第２の側のうちの他方を前記吸引デバイスに保持するのに空気圧を使用する、請求項８８に記載の機械。
【請求項９０】
前記吸引デバイスが、支持表面に配置される少なくとも１つの吸引カップまたは吸引孔を備える、請求項８８または請求項８９に記載の機械。
【請求項９１】
複数の吸引カップまたは吸引孔が、手袋の手のひら及び親指領域に位置合わせされる複数の位置で、アレイを形成するように、前記支持表面に配置される、請求項９０に記載の機械。
【請求項９２】
前記吸引カップまたは吸引孔がさらに、手袋のフィンガに位置合わせされる複数の位置で、アレイを形成するように、前記支持表面に配置される、請求項９１に記載の機械。
【請求項９３】
前記手袋の前記第１の部分が、前記手袋の手のひら側および前記手袋の背面側を含む群のうちの１つであり、前記手袋の前記第２の部分が、前記手のひら側および前記背面側を含む群のうちの他方の側である、請求項７１から請求項９２のいずれか１項に記載の機械。
【請求項９４】
使い捨て手袋を供給するための方法であって、
−  カートリッジ内に位置する第１の位置に位置する前記手袋の第１の部分に接触し、前記第１の部分を保持するために関節アームを移動させるステップと、
−  前記カートリッジから前記手袋を第２の位置へと移動させるステップであって、前記第２の位置では前記手袋の第２の部分を固着手段に接触させ、固着手段によって保持することができる、ステップと、
前記第２の位置になると、前記関節アーム及び前記固着手段の一方または両方を他方を基準とした或る方向に移動させるステップであって、それにより使用時に前記手袋をその開いた端部において十分な広さまで広げて、それにより人間の手を入れることを可能にする、ステップと
を含む
方法。
【請求項９５】
前記第１の位置の前記関節アームにおいて前記手袋に接触して前記手袋を保持するステップが、吸引デバイスを起動するステップによって達成される、請求項９４に記載の方法。
【請求項９６】
前記第２の位置へと前記手袋を移動させるステップが、前記関節アームを枢動させるかまたはその軸方向の長さに沿う方向に移動させることを目的として前記関節アームの移動を始動させることによって達成される、請求項９４または請求項９５に記載の方法。
【請求項９７】
前記固着手段の移動が、関節アームを起動するステップによって達成される、請求項９４から請求項９６のいずれか１項に記載の方法。
【請求項９８】
前記関節アームに対して前記カートリッジを摺動可能に移動させるステップを含む、請求項９４から請求項９６のいずれか１項に記載の方法。
【請求項９９】
前記カートリッジを摺動可能に移動させるステップによって固着手段が露出する、請求項９８に記載の方法。
【請求項１００】
前記手袋の第１の部分に接触させてその第１の部分を保持するために関節アームを移動させるステップが、前記関節アームのヘッド領域を前記手袋に位置合わせするように前記関節アームの軸を中心として前記ヘッド領域を枢動させるステップをさらに含み、このステップが、前記手袋の物理的特徴部分を検出するための位置合わせ感知デバイスによって誘導される、請求項９４から請求項９６のいずれか１項に記載の方法。
【請求項１０１】
前記手袋の第２の部分を前記固着手段に接触させて保持することができる前記第２の位置まで前記手袋を移動させるステップが、前記手袋を前記固着手段の向きの軸に位置合わせするところまで運ぶ、前記関節アームの前記ヘッド領域の軸を回転させるステップを含む、請求項１００に記載の方法。
【請求項１０２】
前記手袋の前記第２の部分を前記固着手段に接触させて保持することができる前記第２の位置まで前記手袋を移動させるステップが、前記固着手段に向かう方向に前記関節アームおよび前記ヘッド領域を移動させるステップを含む、請求項１０１に記載の方法。
【請求項１０３】
前記固着手段において前記第２の位置で前記手袋の接触および保持を行うことが、吸引デバイスを起動するステップによって達成される、請求項９４から請求項１０２のいずれか１項に記載の方法。
【発明の詳細な説明】
【技術分野】
【０００１】
本開示は、使い捨て手袋を保持するためのカートリッジ、手袋供給装置（ｇｌｏｖｅ  ｄｉｓｐｅｎｓｉｎｇ  ａｐｐａｒａｔｕｓ）、ならびに使い捨て手袋を使用者の手に衛生的な方式で嵌めるための供給装置を使用するための方法に関する。
【背景技術】
【０００２】
使い捨て手袋の使用は、サンドイッチなどの食品が製造され客に販売されることがあり、または食肉などのオープンな（ｏｐｅｎ）他の食物製品がトレイから選択され、顧客の購入ためにラッピングされるところである食品取扱施設など、多くの産業において一般的である。このような手袋の使用は、衛生状態を向上させること、およびこのような食物製品が素手で取り扱われる場合に起き得るような細菌の蔓延を防止することを意図している。他の適用例では、例えば、手術を行う人、または医学研究を行う人などの、医療業界または製薬業界で働く人により、使い捨て手袋が使用される。医療業界または製薬業界では、汚染（または、相互汚染）を排除することが最優先事項である。
【発明の概要】
【発明が解決しようとする課題】
【０００３】
使い捨て手袋は通常は箱の中に入れられて販売される。使用者が箱の頂部にある開口部から手袋を引っ張って手を使って手袋を着用する。これには、使用者が手袋の着用前におよび手袋の着用中に手袋の外側に明確に接触することが必要となる。したがって、手袋の外側表面が、バクテリア、ごみ、および／または使用者の手の上に存在する他の望ましくない物質で汚染される可能性がある。このような状況では、人が、単純に、自分の手を使用していくつかの手袋を取り出して「身に着ける」ことはできず、また、無菌で使用されることを意図される手袋の外側に自分自身のバクテリアを移動させることがないということを見込むこともできない。しばしば、新しい手袋の箱から２枚以上の手袋が同時に取り除かれ、それにより無駄が生じる。加えて、このような手袋を装着するプロセスに時間がかかる。
【０００４】
本出願人の名義の国際特許出願ＰＣＴ／ＡＵ２００８／００１３７７で、自動の手袋供給機械が提案される。この機械は、使い捨て手袋のロールを保管するためのコンパートメントと、ロールから機械の手挿入ステーションまで一列状の手袋を引っ張り出すための移動可能な割出し構成と、手挿入ステーションにおいて使用者の手を挿入するために一列状の手袋の端の手袋を開くための手袋開放デバイスとを有する。手袋のロールが一続きのパネルを備え、これらのパネルの各々が使い捨て手袋を備え、ここでは、これらのパネルのうちの連続する手袋が、脆弱（ｆｒａｎｇｉｂｌｅ）接続部分により一体に接合される。使用時、使用者が手挿入ステーションから自分の手を引っ込めるとき、脆弱接続部分が引きちぎられて一列状の手袋から１つの手袋を分離する。
しかし、脆弱な形では互いに接合されない自由に分離される使い捨て手袋のディスペンサであり、使用者の手の外側とディスペンサ内に位置する手袋との間での接触の可能性がないような用途が存在することが明らかとなっている。
【課題を解決するための手段】
【０００５】
第１の態様では、隣接する位置合わせされた複数の使い捨て手袋を受け入れるためのカートリッジが提供され、このカートリッジが：ベースと、使用時に上記複数の手袋のフィンガ部分を位置合わせするように構成される第１の要素とを備える。
【０００６】
いくつかの実施形態では、第１の要素が１つまたは複数の細長いストリップを備え、上記または各々のストリップが使用時にそれぞれの手袋の任意の２つの隣接するフィンガの間に位置する。一形態では、第１の要素が２つの細長いストリップを備え、各ストリップが使用時にそれぞれの手袋の２つの異なる隣接するフィンガの間に位置する。
【０００７】
いくつかの実施形態では、上記または各々の細長いストリップが、ストリップの２つの側部に沿って、脆弱接続部分を有するような、ベースの一部分を形成し、ここでは、使用時に上記または各々のストリップは、上記脆弱接続部分が破損すると、ベースの残りの部分から延在するようにヒンジ式に展開可能であり、ストリップが上記ストリップの一方の端部のところでベースの残りの部分にヒンジ式につながる。いくつかの実施形態では、１つまたは複数の細長いストリップが、使用時にカートリッジのベース上に積み重ねられた、隣接する位置合わせされた手袋の最大深さに少なくとも等しい所定の高さを有する。
【０００８】
いくつかの実施形態では、カートリッジが、上記複数の手袋の各々の手袋の第１の部分を位置合わせするように使用時に構成される第２の要素をさらに備える。
【０００９】
一形態では、上記手袋の第１の部分が、手袋のフィンガ部分から遠位側にある、手袋の開いた端部である。特定の一実施形態では、第２の要素が互いから離間される２つの隆起部分を備え、使用時に、上記または各々の手袋のそれぞれの開いた端部が２つの隆起部分の間に置かれる。一形態では、２つの隆起部分が、概して、手袋の開いた端部の幅である長さだけ離間される。いくつかの実施形態では、２つの隆起部分がベースから延在し、使用時にカートリッジのベース上に積み重ねられた、隣接する位置合わせされた手袋の最大深さに少なくとも等しい所定の高さを有する。
【００１０】
別の形態では、上記手袋の第１の部分が、平らに置かれた手袋の左側縁部および右側縁部のうちの一方または両方である。特定の一実施形態では、第２の要素が、概して、平らに置かれた手袋の左側縁部と右側縁部の間の幅である長さだけ互いから離間される２つの隆起部分を備える。いくつかの実施形態では、２つの隆起部分がベースから延在し、使用時にカートリッジのベース上に積み重ねられた、隣接する位置合わせされた手袋の最大深さに少なくとも等しい所定の高さを有する。
【００１１】
いくつかの実施形態では、カートリッジが使用時にクロージャ内で受けられるように構成される。一形態では、クロージャが、ベース、および展開位置にあるときの第１の要素を収容するようにサイズ決定される蓋付き箱である。特定の一実施形態では、ベースがクロージャの中へ摺動可能に受けられるように構成される。代替的実施形態では、カートリッジがクロージャの一部分を形成する。一形態では、クロージャが、ベースを有しており、展開位置にあるときの第１の要素を収容するようにサイズ決定される蓋付き箱である。
【００１２】
第２の態様では、第１の態様で定義されるカートリッジおよびクロージャ、ならびに一定の量の使い捨て手袋が組み合わせで提供される。
【００１３】
第３の態様では、隣接する位置合わせされた複数の使い捨て手袋をカートリッジ内でカートリッジのベースの上方で位置決めするための方法が提供され、この方法が、フィンガ部分がカートリッジの第１の要素と近位の関係において位置合わせされるように各手袋を位置決めするステップであって、各それぞれの手袋がカートリッジ内で隣接する手袋に対して積み重ねられるように位置合わせされる、ステップを含む。
【００１４】
いくつかの実施形態では、第１の要素が１つまたは複数の細長いストリップを備え、この方法が、それぞれの手袋の任意の２つの隣接するフィンガの間に上記または各々のストリップを位置させるステップを含む。
【００１５】
いくつかの実施形態では、上記または各々の細長いストリップが、上記ストリップの２つの側部に沿って配置される脆弱接続部分を破損させるステップ、次いでベースの残りの部分に接合されるストリップの端部の周りで上記ストリップを移動させることによりベースの残りの部分から延在するようにストリップをヒンジ式に展開するステップにより、ベースの一部分から形成される。
【００１６】
いくつかの実施形態では、この方法が、上記またはそれぞれの手袋の２つの隣接するフィンガの間に１つのストリップを位置させると同時に上記またはそれぞれの手袋の別の２つの隣接するフィンガの間に第２のストリップを位置させるステップを含む。いくつかの他の実施形態では、この方法が、上記またはそれぞれの手袋の２つの隣接するフィンガの間に１つのストリップを位置させると同時に上記またはそれぞれの手袋の上記２つの隣接するフィンガのうちの１つのフィンガと第３のフィンガとの間に第２のストリップを位置させるステップを含む。
【００１７】
いくつかの実施形態では、この方法が、手袋の第１の部分がカートリッジの第２の要素に位置合わせされるように各手袋を位置決めするステップをさらに含み：ここでは、各それぞれの手袋が、第１および第２の要素対する近位の関係により、カートリッジ内で隣接する手袋に対して積み重ねられるように位置合わせされる。
【００１８】
いくつかの実施形態では、上記手袋の第１の部分が、手袋のフィンガ部分から遠位側にある、手袋の開いた端部である。一形態では、第２の要素が、ベースから延在した２つの隆起部分であって、概して手袋の開いた端部の幅である長さだけ互いから離間される２つの隆起部分を備え、この方法が、２つの隆起部分の間に手袋のそれぞれの第１の部分を置くステップを含む。
【００１９】
いくつかの他の実施形態では、上記手袋の第１の部分が、平らに置かれるときの手袋の左側縁部および右側縁部のうちの一方または両方である。いくつかの実施形態では、第２の要素が、ベースから延在した２つの隆起部分であって、概して、平らに置かれたときの手袋の左側縁部と右側縁部の間の幅である長さだけ互いから離間される２つの隆起部分を備え、この方法が、２つの隆起部分の間にそれぞれの手袋を置くステップを含む。
【００２０】
いくつかの実施形態では、この方法が、カートリッジをクロージャ内に位置させるか、またはカートリッジ自体がクロージャの一部分を形成する場合にはカートリッジの周りにクロージャを形成するステップをさらに含む。いくつかの実施形態では、この方法が、クロージャを密閉するステップをさらに含む。
【００２１】
第４の態様では、隣接する位置合わせされた複数の使い捨て手袋を受け入れるためのカートリッジが提供され、このカートリッジが：ベースと、上記複数の手袋の各々の手袋の第１の部分を位置合わせするように使用時に構成される第１の要素とを備える。
いくつかの実施形態では、上記手袋の第１の部分が、手袋の上記または各々のフィンガ部分から遠位側にある、手袋の開いた端部である。一実施形態では、第１の要素が互いから離間される２つの隆起部分を備え、使用時に、２つの隆起部分の間に上記または各々の手袋のそれぞれの開いた端部が置かれる。一形態では、２つの隆起部分が、概して、手袋の開いた端部の幅である長さだけ離間される。いくつかの実施形態では、２つの隆起部分がベースから延在し、使用時にカートリッジのベース上に積み重ねられた、隣接する位置合わせされた手袋の最大深さに少なくとも等しい所定の高さを有する。
【００２２】
いくつかの他の実施形態では、上記手袋の第１の部分が、平らに置かれた手袋の左側縁部および右側縁部のうちの一方または両方である。一実施形態では、第１の要素が、概して、平らに置かれた手袋の左側縁部と右側縁部の間の幅である長さだけ互いから離間される２つの隆起部分を備える。いくつかの実施形態では、２つの隆起部分がベースから延在し、使用時にカートリッジのベース上に積み重ねられた、隣接する位置合わせされた手袋の最大深さに少なくとも等しい所定の高さを有する。
【００２３】
いくつかの実施形態では、カートリッジが、上記複数の手袋のフィンガ部分を位置合わせするように使用時に構成される第２の要素をさらに備える。一形態では、第２の要素が１つまたは複数の細長いストリップを備え、上記または各々のストリップが使用時にそれぞれの手袋の任意の２つの隣接するフィンガの間に位置する。この一形態では、第２の要素が２つの細長いストリップを備え、各ストリップが展開時にそれぞれの手袋の２つの異なる隣接するフィンガの間に位置する。いくつかの実施形態では、上記または各々の細長いストリップが、ストリップの２つの側部に沿って、脆弱接続部分を有するような、ベースの一部分を形成し、ここでは、使用時に上記または各々のストリップが、上記脆弱接続部分が破損するとベースの残りの部分から延在するようにヒンジ式に展開可能であり、ストリップが上記ストリップの一方の端部のところでベースの残りの部分にヒンジ式につながる。いくつかの実施形態では、１つまたは複数の細長いストリップが、使用時にカートリッジのベース上に積み重ねられた、隣接する位置合わせされた手袋の最大深さに少なくとも等しい所定の高さを有する。
【００２４】
いくつかの実施形態では、カートリッジが使用時にクロージャ内で受けられるように構成される。一形態では、クロージャが、ベース、および展開位置にあるときの第１の要素を収容するようにサイズ決定される蓋付き箱である。特定の一実施形態では、ベースがクロージャの中へ摺動可能に受けられるように構成される。代替的実施形態では、カートリッジがクロージャの一部分を形成する。一形態では、クロージャが、ベースを有しており、展開位置にあるときの第１の要素を収容するようにサイズ決定される蓋付き箱である。
第５の態様では、第４の態様で定義されるカートリッジおよびクロージャ、ならびに一定の量の使い捨て手袋が組み合わせで提供される。
【００２５】
第６の態様では、隣接する位置合わせされた複数の使い捨て手袋をカートリッジ内でカートリッジのベースの上方で位置決めするための方法が提供され、この方法が、第１の部分がカートリッジの第１の要素と近位の関係において位置合わせされるように各手袋を位置決めするステップであって、各それぞれの手袋がカートリッジ内で隣接する手袋に対して積み重ねられるように位置合わせされる、ステップを含む。
【００２６】
この方法のいくつかの実施形態では、上記手袋の第１の部分が、手袋のフィンガ部分から遠位側にある、手袋の開いた端部である。一形態では、第１の要素が、ベースから延在しており、概して手袋の開いた端部の幅である長さだけ互いから離間される２つの隆起部分を備え、この方法が、２つの隆起部分の間に手袋のそれぞれの第１の部分を配置するステップを含む。
【００２７】
この方法の他の実施形態では、上記手袋の第１の部分が、平らに置かれた手袋の左側縁部および右側縁部のうちの一方または両方である。一形態では、第１の要素が、ベースから延在した２つの隆起部分であって、概して、平らに置かれたときの手袋の左側縁部と右側縁部との間の幅である長さだけ互いから離間される２つの隆起部分を備え、この方法が、２つの隆起部分の間にそれぞれの手袋を置くステップを含む。
【００２８】
いくつかの実施形態では、この方法が、手袋のフィンガ部分がカートリッジの第２の要素に位置合わせされるように各手袋を位置決めするステップをさらに含み；ここでは、各それぞれの手袋が、第１および第２の要素に対する近位の関係により、カートリッジ内で隣接する手袋に対して積み重ねられるように位置合わせされる。
【００２９】
第２の要素が１つまたは複数の細長いストリップを備えるような方法の一形態では、この方法が、それぞれの手袋の任意の２つの隣接するフィンガの間に上記または各々のストリップを位置させるステップを含む。この一形態では、上記または各々の細長いストリップが、上記ストリップの２つの側部に沿って配置される、脆弱接続部分を破損させるステップ、次いでベースの残りの部分に接合されるストリップの端部の周りで上記ストリップを移動させることによりベースの残りの部分から延在するようにストリップをヒンジ式に展開するステップにより、ベースの一部分から形成される。一構成では、この方法が、上記またはそれぞれの手袋の２つの隣接するフィンガの間に１つのストリップを位置させると同時に上記またはそれぞれの手袋の別の２つの隣接するフィンガの間に第２のストリップを位置させるステップを含む。代替的構成では、この方法が、上記またはそれぞれの手袋の２つの隣接するフィンガの間に１つのストリップを位置させると、同時に上記またはそれぞれの手袋の上記２つの隣接するフィンガのうちの１つのフィンガと第３のフィンガとの間に第２のストリップを位置させるステップを含む。
【００３０】
いくつかの実施形態では、この方法が、カートリッジをクロージャ内に位置させるか、またはカートリッジ自体がクロージャの一部分を形成する場合にはカートリッジの周りにクロージャを形成するステップをさらに含む。いくつかの実施形態では、この方法が、クロージャを密閉するステップをさらに含む。
【００３１】
第７の態様では、隣接する位置合わせされた複数の使い捨て手袋を支持する方法が提供され、この方法が：平面的要素を各手袋の開いた端部の中に摩擦により嵌合させるステップと、上記または各々の手袋の中に嵌め込まれた平面的要素が、カートリッジから延在する第１の要素に接触しているように上記手袋を位置決めするステップとを含み、ここでは、上記または各々の手袋が、平面的要素および第１の要素の位置関係により位置合わせされるように支持される。
【００３２】
いくつかの実施形態では、この方法が、手袋のフィンガ部分が、カートリッジから延在する第２の要素に位置合わせされるように、上記または各々の手袋を位置決めするステップをさらに含む。一実施形態では、第２の要素が１つまたは複数の細長いストリップを備え、この方法が、それぞれの手袋の任意の２つの隣接するフィンガの間に上記または各々のストリップを配置するステップを含む。
【００３３】
一形態では、この方法が、上記またはそれぞれの手袋の２つの隣接するフィンガの間に１つのストリップを位置させると同時に上記またはそれぞれの手袋の別の２つの隣接するフィンガの間に第２のストリップを位置させるステップを含む。代替的形態では、この方法が、上記またはそれぞれの手袋の２つの隣接するフィンガの間に１つのストリップを位置させると同時に上記またはそれぞれの手袋の上記２つの隣接するフィンガのうちの１つのフィンガと第３のフィンガとの間に第２のストリップを位置させるステップを含む。
いくつかの実施形態では、この方法が、上記または各々の手袋から平面的要素を取り除くステップをさらに含む。
【００３４】
いくつかの実施形態では、この方法が、カートリッジをクロージャ内に位置させるか、またはカートリッジ自体がクロージャの一部分を形成する場合にはカートリッジの周りにクロージャを形成するステップをさらに含む。一形態では、この方法が、クロージャを密閉するステップをさらに含む。
【００３５】
第８の態様では、使い捨て手袋を供給するように構成される機械が提供され、この機械が、手袋の第１の部分に接触して保持するように、および１つまたは複数の手袋を収容するカートリッジ内に手袋を位置させる第１の位置から、上記手袋の第２の部分を固着手段に接触させて保持することができる第２の位置まで上記手袋を移動させるように、使用時に構成される関節アームを備え、ここでは、第２の位置になると、関節アーム及び固着手段の一方または両方が他方を基準とした或る方向に移動可能となり、それにより使用時に手袋をその開いた端部のところで十分な広さまで広げてそれにより人間の手を入れることを可能にする。
【００３６】
この機械のいくつかの実施形態では、関節アームが、手袋を第２の位置まで移動させるときに枢動可能に移動する。この一形態では、関節アームが、機械の内部壁に位置する設置位置を中心として枢動可能に移動する。いくつかの実施形態では、固着手段が支持アームに配置され、支持アーム自体が固着手段を第２の位置まで移動させるように移動可能である。いくつかの実施形態では、支持アームが細長く、関節アームの方に向かうかまたは関節アームから離れるかのいずれにおいても、その長手方向に沿って軸方向に移動可能である。この一形態では、支持アームがテレスコープ式である。
【００３７】
この機械のいくつかの他の実施形態では、関節アームが細長く、カートリッジの方に向かうかまたはカートリッジから離れるかのいずれにおいても、その長手方向に沿って軸方向に移動可能である。このいくつかの実施形態では、手袋が第１の位置から移動された後、カートリッジが、関節アームの移動の軸方向に位置合わせされた状態から外れるように横方向に移動可能である。一形態では、カートリッジの上記の横方向の移動により固着手段が露出し、ここでは固着手段が関節アームの移動の軸方向に位置合わせされて位置される。いくつかの実施形態では、固着手段の方に向かう、関節アームのその移動の上記軸方向に沿ったさらなる移動が、上記手袋を第２の位置に移動させることになる。
【００３８】
この機械のいくつかの別の実施形態では、関節アームのヘッド領域が関節アームの軸に接合されて関節アームの軸を中心として枢動可能であり、それにより、上記手袋を第１の位置から離すように移動させることの一部として、手袋が第１の位置にあるときにヘッド領域を手袋の向きに位置合わせすることが可能となる。いくつかの実施形態では、関節アームのヘッド領域に位置合わせ感知デバイスが取り付けられ、それによりヘッド領域を手袋の物理的特徴部分に位置合わせすることを可能にし、それにより関節アームのところでの手袋の接触および保持を改善する。
【００３９】
このいくつかの実施形態では、関節アームが細長く、その長手方向に沿って軸方向に移動可能であり、このような移動の１つが、上記手袋を第１の位置から離すように移動させることの一部として、カートリッジから離れるような移動である。いくつかの実施形態では、細長い関節アームがその長手方向に沿って軸方向にテレスコープ式に移動可能である。いくつかの実施形態では、関節アームのヘッド領域の軸がさらに、細長い関節アームの移動の軸方向に位置合わせされないような向きまで回転可能であり、これは以下のうちの少なくとも１つを目的とする：（ｉ）手袋を第１の位置から離すように移動させるために、手袋が第１の位置にあるときに、ヘッド領域を手袋の向きに位置合わせするのを可能にすること、および（ｉｉ）手袋を第２に位置に向かって移動させること。
【００４０】
この一形態では、上記手袋を第２の位置の方に移動させることの一部として、ヘッド領域の軸が固着手段の向きの軸に位置合わせされるように回転可能である。いくつかの実施形態では、関節アームおよびヘッド領域が、上記手袋を第２の位置まで移動させて固着手段に接触させるために固着手段に向かう方向に移動可能となるようにも配置される。
【００４１】
いくつかの実施形態では、関節アームのところでの、または適用可能である場合には関節アームのヘッド領域のところでの、手袋の接触および保持が吸引デバイスによるものであり、この吸引デバイスは手袋のそれぞれの第１または第２の側を吸引デバイスに保持するのに空気圧を使用する。この一形態では、固着手段のところでの手袋の接触および保持が吸引デバイスによるものであり、この吸引デバイスは手袋のそれぞれの第１または第２の側のうちの他方を吸引デバイスに保持するのに空気圧を使用する。
【００４２】
いくつかの実施形態では、吸引デバイスが、支持表面に配置される少なくとも１つの吸引カップまたは吸引孔を備える。いくつかの実施形態では、複数の吸引カップまたは吸引孔が、手袋の手のひら及び親指領域に位置合わせされる複数の位置で、アレイを形成するように、支持表面に配置される。いくつかの他の実施形態では、吸引カップまたは吸引孔がさらに、手袋のフィンガに位置合わせされる複数の位置で、アレイを形成するように、支持表面に配置される。
【００４３】
いくつかの実施形態では、手袋の第１の部分が、手袋の手のひら側および手袋の背面側（ｄｏｒｓａｌ  ｓｉｄｅ）を含む群のうちの１つであり、手袋の第２の部分が、手のひら側および背面側を含む群のうちのそれぞれの他方の側である。
【００４４】
第９の態様では、使い捨て手袋を供給するための方法が提供され、この方法が：カートリッジ内に位置する第１の位置に位置する手袋の第１の部分に接触させてその第１の部分を保持するために関節アームを移動させるステップと、カートリッジから外して第２の位置へと上記手袋を移動させるステップであって、この第２の位置では上記手袋の第２の部分が固着手段に接触させられ得、固着手段によって保持され得る、ステップと、第２の位置になると、関節アーム及び固着手段の一方または両方を他方を基準とした或る方向に移動させるステップであって、それにより使用時に手袋をその開いた端部において十分な広さまで広げてそれにより人間の手を入れることを可能にする、ステップとを含む。
【００４５】
この方法のいくつかの実施形態では、第１の位置の関節アームにおいて手袋に接触して保持するステップが、吸引デバイスを起動するステップによって達成される。
【００４６】
この方法のいくつかの実施形態では、第２の位置へと手袋を移動させるステップが、関節アームを枢動させるかまたはその軸方向の長さに沿う方向に移動させることを目的として関節アームの移動を始動させることによって達成される。いくつかの実施形態では、固着手段の移動が、関節アームを起動するステップによって達成される。
【００４７】
いくつかの他の実施形態では、この方法が、関節アームに対してカートリッジを摺動可能に移動させるステップをさらに含む。いくつかの実施形態では、カートリッジを摺動可能に移動させるステップによって固着手段が露出する。
【００４８】
この方法のいくつかの別の実施形態では、手袋の第１の部分に接触させてその第１の部分を保持するために関節アームを移動させるステップが、関節アームのヘッド領域を手袋に位置合わせするように関節アームの軸を中心としてヘッド領域を枢動させるステップをさらに含み、このステップが、手袋の物理的特徴部分を検出するための位置合わせ感知デバイスによって誘導される。
【００４９】
いくつかの実施形態では、手袋の第２の部分を固着手段に接触させて保持することができる第２の位置まで手袋を移動させることが、上記手袋を固着手段の向きの軸に位置合わせするところまで運ぶ、関節アームのヘッド領域の軸を回転させるステップを含む。いくつかの実施形態では、手袋の第２の部分を固定手段に接触させて保持する第２の位置まで手袋を移動させることが、固着手段に向かう方向に関節アームおよびヘッド領域を移動させるステップを含む。
【００５０】
これらの方法のちの任意の方法のいくつかの実施形態では、固着手段において第２の位置での手袋の接触および保持が、吸引デバイスを起動するステップによって達成される。
【００５１】
第１０の態様では、使い捨て手袋を供給するための本明細書で定義される機械がまた、紫外線光を用いて手袋を取り扱うための、機械のハウジング内に配置される少なくとも１つの紫外線（ＵＶ：ｕｌｔｒａ−ｖｉｏｌｅｔ）光源をさらに備える。
【００５２】
一実施形態では、手袋を供給するための装置が提供され、この装置が、紫外線光を用いて手袋を取り扱うための、装置のハウジング内に配置される少なくとも１つの紫外線（ＵＶ）光源を備える。
【００５３】
いくつかの実施形態では、ハウジングがカバーを有し、ＵＶ光源が、ハウジングのカバーを閉じているときに手袋を取り扱うように動作可能である。
【００５４】
いくつかの実施形態では、ＵＶ光源が手袋供給装置のハウジング内に設置され、それにより、ＵＶ光源の動作の継続時間が制御システムによって制御され、この制御システムは使用者の手が機械から引っ込められるときにのみ作動させられ得る。
【００５５】
通常、本明細書で説明されるクロージャ内の手袋のカートリッジまたは使い捨て手袋のパッケージは、脆弱な形では互いに接合されない自由に分離され得る手袋のセットである。このタイプの使い捨て手袋のパッケージは手袋供給装置の中で提供され得るかまたは利用され得、手袋供給装置内では手袋が互いの上に積み重ねられる形で配置され、それにより使用時に手袋のカートリッジから連続的に引き抜かれ得る。
【００５６】
このような手袋は、使用される左手または右手のいずれにも着用され得る「左右兼用の（ｎｏｎ−ｈａｎｄｅｄ）」手袋（つまり、同一の手袋が使用者の右手または左手のいずれにも着用され得る）であってよいかまたは「片手用（ｈａｎｄｅｄ）」のタイプであってもよく、手袋の開いた口部分（ｃｕｆｆ）を使用者の方に向けた状態の対応する垂直の向きで供給装置によって手袋が差し出されるときに自分の手を「親指を上にした」向きにした状態で使用者がそれぞれの手袋の中に各々の手を挿入するときに、手袋が上で言及した方法によって供給され得、それにより手袋を着用するのを容易にすることが可能となる。（手袋の「親指」は、使用者の手の親指を受けるための手袋の端のフィンガを意味し、これはつまり使用者の手の親指を受けるように構成される。）
【００５７】
有利には、本明細書で説明される手袋供給装置の実施形態により手袋を開くことおよび差し出すことにより、従来の手袋の着用法の場合のように使用者が自分のもう一方の素手を用いて手袋を扱うことが必要であるようなそれ以外の場合において起こり得るような手袋の外側表面の汚染が低減または防止され得る。供給される手袋は、食品関連の産業、あるいはデリカテッセン、サンドイッチ専門店（ｓａｎｄｗｉｃｈ  ｂａｒ）、または菓子屋などで働く人によって使用されるのに適するような、ぴったりとしない軽量の「サンドイッチ用」タイプの手袋であってよく、食品関連の産業、あるいはデリカテッセン、サンドイッチ専門店、または菓子屋などでは、客の応対をしながら食品を扱うときに日常的に手袋を短時間着用すること、ならびにその後で客から支払いを受け取るために手袋を外して廃棄することが必要である。しかし、本開示の供給設備のより可能性の高い適用例は、例えば、手術を行う人、または医学研究を行う人などの、医療業界または製薬業界で働く人によって使用される手袋に対しての適用例であり、医療業界または製薬業界では、汚染（または、相互汚染）を排除することが最優先事項である。このような状況では、人が、単純に、自分の手を使用していくつかの手袋を取り出して「身に着ける」ことはできず、また、無菌で使用されることを意図される手袋の外側に自分自身のバクテリアを移動させることがないということを見込む。
【００５８】
また、有利には、本明細書で説明される１つまたは複数の実施形態の手袋供給装置が、手袋を比較的迅速に着用するのを実現することができ、それ以外の場合において箱から多数の手袋が同時に引き抜かれるときに一体に絡み合うようになる可能性があるような単一の緩んだ手袋を箱の中で使用するのを回避することができる。
【００５９】
本開示の一部であり、開示される本発明の原理を例として示す添付図面と併せて以下の詳細な説明を読むことにより、他の態様、特徴、および利点がさらに明らかとなる。
添付図面が種々の実施形態を理解するのを促進する。
【図面の簡単な説明】
【００６０】
【図１】使い捨て手袋がカートリッジに位置する状態の、本開示の第１の実施形態によるカートリッジを示す斜視図である。
【図２】使い捨て手袋がカートリッジに位置する状態の、本開示の別の実施形態によるカートリッジを示す斜視図である。
【図３】使い捨て手袋がカートリッジに位置する状態の、本開示の別の実施形態によるカートリッジを示す斜視図である。
【図４】使い捨て手袋がカートリッジに位置する状態の、本開示の別の実施形態によるカートリッジを示す斜視図である。
【図５】使い捨て手袋がカートリッジに位置する状態の、本開示の別の実施形態によるカートリッジを示す斜視図である。
【図６】使い捨て手袋がカートリッジに位置する状態の、本開示の別の実施形態によるカートリッジを示す斜視図である。
【図７】使い捨て手袋がカートリッジに位置する状態の、本開示の別の実施形態によるカートリッジを示す斜視図である。
【図８】使い捨て手袋がカートリッジに位置する状態の、本開示の別の実施形態によるカートリッジを示す斜視図である。
【図９】カートリッジおよび手袋が摺動可能にその中に位置させ得る蓋付き箱の形態のクロージャと共に、図５のカートリッジおよび手袋を示す斜視図である。
【図１０（ａ）】図１０（ａ）は、図９のカートリッジおよび手袋が図９の蓋付き箱の中で如何にして摺動可能に受けられるかを、および箱の蓋が如何にして閉じられ得るかを示す連続図である。
【図１０（ｂ）】図１０（ｂ）は、図９のカートリッジおよび手袋が図９の蓋付き箱の中で如何にして摺動可能に受けられるかを、および箱の蓋が如何にして閉じられ得るかを示す連続図である。
【図１０（ｃ）】図１０（ｃ）は、図９のカートリッジおよび手袋が図９の蓋付き箱の中で如何にして摺動可能に受けられるかを、および箱の蓋が如何にして閉じられ得るかを示す連続図である。
【図１０（ｄ）】図１０（ｄ）は、遮るものがないカートリッジおよび手袋を使用できる状態にしておくために、箱の蓋が開けられた後で図９のカートリッジおよび手袋が図９の蓋付き箱から如何にして取り除かれるかを示す連続図である。
【図１０（ｅ）】図１０（ｅ）は、遮るものがないカートリッジおよび手袋を使用できる状態にしておくために、箱の蓋が開けられた後で図９のカートリッジおよび手袋が図９の蓋付き箱から如何にして取り除かれるかを示す連続図である。
【図１０（ｆ）】図１０（ｆ）は、遮るものがないカートリッジおよび手袋を使用できる状態にしておくために、箱の蓋が開けられた後で図９のカートリッジおよび手袋が図９の蓋付き箱から如何にして取り除かれるかを示す連続図である。
【図１１】手袋を格納するための蓋付きの形態のクロージャの一体化される一部分としてカートリッジが形成される、図６のカートリッジおよび手袋を示す斜視図である。
【図１２（ａ）】図１２（ａ）は、図１１の一体化されるカートリッジが手袋を如何にして受けてその後で蓋付き箱の形態のクロージャが手袋を格納するために折り曲げられることにより如何にして組み立てられるかを示す連続図である。
【図１２（ｂ）】図１２（ｂ）は、図１１の一体化されるカートリッジが手袋を如何にして受けてその後で蓋付き箱の形態のクロージャが手袋を格納するために折り曲げられることにより如何にして組み立てられるかを示す連続図である。
【図１２（ｃ）】図１２（ｃ）は、図１１の一体化されるカートリッジが手袋を如何にして受けてその後で蓋付き箱の形態のクロージャが手袋を格納するために折り曲げられることにより如何にして組み立てられるかを示す連続図である。
【図１２（ｄ）】図１２（ｄ）は、遮るものがないカートリッジおよび手袋を使用できる状態にしておくために、手袋を収容する図１１の蓋付き箱が如何にして開けられるか、および蓋が如何にして外されるかを示す連続図である。
【図１２（ｅ）】図１２（ｅ）は、遮るものがないカートリッジおよび手袋を使用できる状態にしておくために、手袋を収容する図１１の蓋付き箱が如何にして開けられるか、および蓋が如何にして外されるかを示す連続図である。
【図１２（ｆ）】図１２（ｆ）は、遮るものがないカートリッジおよび手袋を使用できる状態にしておくために、手袋を収容する図１１の蓋付き箱が如何にして開けられるか、および蓋が如何にして外されるかを示す連続図である。
【図１３】本開示の別の実施形態によるカートリッジを示す斜視図である。
【図１４（ａ）】図１４（ａ）は、カートリッジに位置する使い捨て手袋のスタックを備える、図１３のカートリッジを示す平面図である。
【図１４（ｂ）】図１４（ｂ）は、カートリッジに位置する使い捨て手袋のスタックを備える、図１３のカートリッジを示す斜視図である。
【図１５（ａ）】図１５（ａ）は、使用時に使い捨て手袋を補充するときにカートリッジを支持するためにその中へとカートリッジが降下させられ得るカートリッジ支持体の実施形態の斜視図と共に、図１３のカートリッジを示す斜視図である。
【図１５（ｂ）】図１５（ｂ）は、カートリッジがカートリッジ支持体の中へと降下させられて使い捨て手袋を補充する準備が整った状態の、図１５（ａ）のカートリッジおよびカートリッジ支持体を示す斜視図である。
【図１６（ａ）】図１６（ａ）は、使用時に使い捨て手袋を補充するときにカートリッジを支持するためにその中へとカートリッジが降下させられ得るカートリッジ支持体の別の実施形態を示す斜視図である。
【図１６（ｂ）】図１６（ｂ）は、カートリッジがカートリッジ支持体の中へと降下させられて使い捨て手袋を補充された状態の、図１３のカートリッジおよび図１６（ａ）のカートリッジ支持体を示す側面図である。
【図１６（ｃ）】図１６（ｃ）は、図１６（ｂ）に示されるカートリッジ、カートリッジ支持体、および手袋を示す斜視端面図である。
【図１６（ｄ）】図１６（ｄ）は、使い捨て手袋を補充されたカートリッジが上昇させられてカートリッジ支持体から外される状態の、図１６（ｂ）のカートリッジおよびカートリッジ支持体を示す斜視側面図である。
【図１７（ａ）】図１７（ａ）は、各使い捨て手袋の開いた端部が使用時にカートリッジによって支持される平面的要素を嵌め込まれる状態の、カートリッジに位置する使い捨て手袋のスタックを備える、図１３のカートリッジを示す斜視図である。
【図１７（ｂ）】図１７（ｂ）は、図１７（ａ）の平面的要素を示す平面図である。
【図１８（ａ）】図１８（ａ）は、使い捨て手袋の開いた端部が使用時にカートリッジによって支持される平面的要素を嵌め込まれる状態の、カートリッジに位置する１つの使い捨て手袋を備える、図１３のカートリッジを示す斜視図である。
【図１８（ｂ）】図１８（ｂ）は、使い捨て手袋の開いた端部に図１８（ａ）の平面的要素が嵌め込まれた状態の、使い捨て手袋を示す平面図である。
【図１９】箱の蓋が側部パネルを有し、また蓋が使用時に閉位置で連動可能に係合され得る、本開示によるカートリッジを摺動可能に受けるための蓋付き箱の実施形態を示す斜視図である。
【図２０】使い捨て手袋が開位置で示される、本開示による手袋供給機械の実施形態を示す概略斜視図である。
【図２１（ａ）】図２１（ａ）は、図２０の機械が如何にして使い捨て手袋を選択することができるか、また使用者の手を入れるためにその手袋を如何にして開くことができるかを示す連続ステップ図である。
【図２１（ｂ）】図２１（ｂ）は、図２０の機械が如何にして使い捨て手袋を選択することができるか、また使用者の手を入れるためにその手袋を如何にして開くことができるかを示す連続ステップ図である。
【図２１（ｃ）】図２１（ｃ）は、図２０の機械が如何にして使い捨て手袋を選択することができるか、また使用者の手を入れるためにその手袋を如何にして開くことができるかを示す連続ステップ図である。
【図２１（ｄ）】図２１（ｄ）は、図２０の機械が如何にして使い捨て手袋を選択することができるか、また使用者の手を入れるためにその手袋を如何にして開くことができるかを示す連続ステップ図である。
【図２１（ｅ）】図２１（ｅ）は、図２０の機械が如何にして使い捨て手袋を選択することができるか、また使用者の手を入れるためにその手袋を如何にして開くことができるかを示す連続ステップ図である。
【図２２】使い捨て手袋が開位置で示される、本開示による手袋供給機械の別の実施形態を示す概略斜視図である。
【図２３（ａ）】図２３（ａ）は、図２２の機械が如何にして使い捨て手袋を選択することができるか、また使用者の手を入れるためにその手袋を如何にして開くことができるかを示す連続ステップ図である。
【図２３（ｂ）】図２３（ｂ）は、図２２の機械が如何にして使い捨て手袋を選択することができるか、また使用者の手を入れるためにその手袋を如何にして開くことができるかを示す連続ステップ図である。
【図２３（ｃ）】図２３（ｃ）は、図２２の機械が如何にして使い捨て手袋を選択することができるか、また使用者の手を入れるためにその手袋を如何にして開くことができるかを示す連続ステップ図である。
【図２３（ｄ）】図２３（ｄ）は、図２２の機械が如何にして使い捨て手袋を選択することができるか、また使用者の手を入れるためにその手袋を如何にして開くことができるかを示す連続ステップ図である。
【図２３（ｅ）】図２３（ｅ）は、図２２の機械が如何にして使い捨て手袋を選択することができるか、また使用者の手を入れるためにその手袋を如何にして開くことができるかを示す連続ステップ図である。
【図２３（ｆ）】図２３（ｆ）は、図２２の機械が如何にして使い捨て手袋を選択することができるか、また使用者の手を入れるためにその手袋を如何にして開くことができるかを示す連続ステップ図である。
【図２３（ｇ）】図２３（ｇ）は、図２２の機械が如何にして使い捨て手袋を選択することができるか、また使用者の手を入れるためにその手袋を如何にして開くことができるかを示す連続ステップ図である。
【図２３（ｈ）】図２３（ｈ）は、図２２の機械が如何にして使い捨て手袋を選択することができるか、また使用者の手を入れるためにその手袋を如何にして開くことができるかを示す連続ステップ図である。
【図２４】使い捨て手袋が開位置で示される、本開示による手袋供給機械の別の実施形態を示す概略斜視図である。
【図２５（ａ）】図２５（ａ）は、図２４の機械が如何にして使い捨て手袋を選択することができるか、また使用者の手を入れるためにその手袋を如何にして開くことができるかを示す連続ステップ図である。
【図２５（ｂ）】図２５（ｂ）は、図２４の機械が如何にして使い捨て手袋を選択することができるか、また使用者の手を入れるためにその手袋を如何にして開くことができるかを示す連続ステップ図である。
【図２５（ｃ）】図２５（ｃ）は、図２４の機械が如何にして使い捨て手袋を選択することができるか、また使用者の手を入れるためにその手袋を如何にして開くことができるかを示す連続ステップ図である。
【図２５（ｄ）】図２５（ｄ）は、図２４の機械が如何にして使い捨て手袋を選択することができるか、また使用者の手を入れるためにその手袋を如何にして開くことができるかを示す連続ステップ図である。
【図２５（ｅ）】図２５（ｅ）は、図２４の機械が如何にして使い捨て手袋を選択することができるか、また使用者の手を入れるためにその手袋を如何にして開くことができるかを示す連続ステップ図である。
【図２５（ｆ）】図２５（ｆ）は、図２４の機械が如何にして使い捨て手袋を選択することができるか、また使用者の手を入れるためにその手袋を如何にして開くことができるかを示す連続ステップ図である。
【図２６】２つの使い捨て手袋が開位置で示される、本開示による手袋供給機械の別の実施形態を示す概略斜視図である。
【図２７（ａ）】図２７（ａ）は、つぶれた構成の使い捨て手袋に取り付けられた機構を示す、本開示による手袋供給機械の機構の一部分の別の実施形態を示す概略側面図である。
【図２７（ｂ）】図２７（ｂ）は、使用者の手を入れるにためにその手袋を開くために、広げられた構成の使い捨て手袋に取り付けられた機構を示す、本開示による手袋供給機械の機構の一部分の別の実施形態を示す概略側面図である
【図２８】操作者によって使用されるときの本開示による手袋供給機械の実施形態を示す概略斜視図である。
【図２９】操作者によって使用されるときの本開示による手袋供給機械の別の実施形態を示す概略斜視図である。
【図３０】使い捨て手袋が開位置で示される、本開示による手袋供給機械の別の実施形態を示す概略斜視図である。
【図３１（ａ）】図３０の機械が如何にして使い捨て手袋を選択することができるか、また使用者の手を入れるためにその手袋を如何にして開くことができるかを示す連続ステップ図である。
【図３１（ｂ）】図３０の機械が如何にして使い捨て手袋を選択することができるか、また使用者の手を入れるためにその手袋を如何にして開くことができるかを示す連続ステップ図である。
【図３１（ｃ）】図３０の機械が如何にして使い捨て手袋を選択することができるか、また使用者の手を入れるためにその手袋を如何にして開くことができるかを示す連続ステップ図である。
【図３１（ｄ）】図３０の機械が如何にして使い捨て手袋を選択することができるか、また使用者の手を入れるためにその手袋を如何にして開くことができるかを示す連続ステップ図である。
【図３１（ｅ）】図３０の機械が如何にして使い捨て手袋を選択することができるか、また使用者の手を入れるためにその手袋を如何にして開くことができるかを示す連続ステップ図である。
【図３２】枢動可能かつ回転可能であるヘッド領域、およびヘッド領域に位置する吸引デバイスの後部をより詳細に示す、図３０の機械の関節アームの一部分を示す概略斜視図である。
【図３３】関節アームの枢動可能かつ回転可能であるヘッド領域に位置する吸引デバイスの前方部分をより詳細に示す、図３２の機械の関節アームを示す斜視図である。
【図３４】吸引デバイスに隣接して位置するアライメント感知デバイスがヘッド領域に嵌め込まれる状態の、本開示による手袋供給機械の関節アームの枢動可能かつ回転可能であるヘッド領域に位置する吸引デバイスの別の実施形態を示す概略斜視図である。
【図３５】枢動可能かつ回転可能であるヘッド領域の前方部分および吸引デバイスの後部、ならびにヘッド領域に位置するアライメント感知デバイスをより詳細に示す、図３４の機械の関節アームを示す斜視図である。
【図３６】本開示による手袋供給機械の関節アームの枢動可能かつ回転可能であるヘッド領域に位置する吸引デバイスの別の実施形態を示す概略斜視図である。
【図３７】本開示による手袋供給機械の関節アームの枢動可能かつ回転可能であるヘッド領域に位置する吸引デバイスの別の実施形態を示す概略斜視図である。
【図３８】本開示による手袋供給機械の関節アームの枢動可能かつ回転可能であるヘッド領域に位置する吸引デバイスの別の実施形態の概略斜視図である。
【発明を実施するための形態】
【００６１】
本開示は、使用者の手の上で使用されるための複数の使い捨て手袋を収容するためのカートリッジの特徴に関連する。開示される実施形態では、手袋がカートリッジ内で位置合わせされる形で、つまり手袋が同じ方向に方向付けられるように、積み重ねられる。通常、カートリッジおよびその周りにある任意の付随のクロージャは、本明細書で説明されるように、手袋を供給するための機械の種々の実施形態と共に特定の使用を見いだすアフターマーケットの消耗品のアイテムである。
【００６２】
図を参照すると、示される例示の実施形態では、カートリッジ（換言すれば、容器）１０が長方形形状の平らなベース（換言すれば、基部）パネル１２を備え、このベースパネル１２がベースパネル１２の上に平らに置かれる手袋１４に少なくとも等しい幅を有し（親指側１６から小指側１８までの幅）、ベースパネル１２の上に平らに置かれる手袋１４に少なくとも等しい長さを有する（中指の先端部２０から手袋１４の口部分２２までの長さ）。パネル１２の一部分である２つの長方形の細長いストリップ部分２４、２６が、２つの平行な脆弱な切り込み線に沿ってパネル１２の残りの部分のボディ（換言すれば、本体）から部分的に分離可能であり、それにより各々がヒンジ式に折り曲げられることにより個別の上方に方向付けられるストリップ２４、２６となるように展開可能となり、またカートリッジパネル１２に対して横向きに置かれるようになる。両方のストリップ２４、２６がヒンジ線のところでカートリッジパネル１２の残りの部分に接合された状態を維持し、その結果、通常の使用ではパネル１２から脱着することが起こらない。各々の図で示されるように、ストリップ２４、２６がカートリッジパネル１２の残りの部分から容易に脱着するための平行な側部２８、３０を有するが、他の実施形態ではストリップが異なる形状であることも可能である（例えば、互いに向かってテーパ状となる２つの側部を備える）。
【００６３】
カートリッジ１０のところで１つまたは複数の使い捨て手袋１４を支持するために使用されるとき、ストリップ２４、２６の各々が使用時にそれぞれの手袋１４の任意の２つの隣接するフィンガ（換言すれば、指部）の間に位置する。図１に示される実施形態では、ストリップ２４、２６がパネル１２から上方へ折り曲げられ、それぞれが親指３２と人差し指３４との間に、および手袋１４の薬指３６と小指３８との間（つまり、使用者の指の最も外側のペア）に位置する。図３、５、および７に示される実施形態では、ストリップ２４、２６がパネル１２から上方へ折り曲げられ、それぞれが、それぞれの手袋１４の２つの別の隣接するフィンガである、人差し指３４と中指４２との間に、および手袋１４の中指４２と薬指３６との間に位置する。これらの手袋位置合わせ補助ストリップ（ｇｌｏｖｅ  ａｌｉｇｎｍｅｎｔ  ｓｕｐｐｏｒｔ  ｓｔｒｉｐ）２４、２６が、本明細書で説明されるように、手袋をより良好に積み重ねるのを容易にし、ひいては機械化される形でスタックから手袋１４を一つずつより容易に取り除くのを促進する。
【００６４】
図３では、カートリッジ１０がパネル１２の２つの追加の長方形のストリップ部分４４、４６をさらに有し、これらのストリップ部分４４、４６が２つの平行な脆弱な切り込み線に沿ってパネル１２の残りの部分のボディから部分的に分離可能であり、それにより各々がヒンジ式に折り曲げられて上方に方向付けられるストリップ４４、４６となることができ、またカートリッジパネル１２に対して横向きに置かれ得るようになる。両方のストリップ４４、４６がヒンジ線のところでカートリッジパネル１２に接合された状態を維持し、通常の使用ではパネルから脱着することが起こらない。図３に示されるように、ストリップ４４、４６が、パネル１２の残りの部分から容易に脱着するための平行な側部を有する。ストリップ４４、４６がそれぞれの手袋１４の開いた端部（つまり、口部分、または手首領域）２２の両側に位置し、その結果、手袋１４がそれらの間で支持されてそれらの間でより容易に積み重ねられるようになる。手袋１４の２つの隣接するフィンガの間に位置する２つのストリップの位置合わせ補助と併せた、手袋１４の開いた端部２２の両側に位置するストリップ４４、４６によって実現される追加的な支持は、本明細書において後で説明されるように、使い捨て手袋１４がカートリッジ１０上でより整然と積み重ねられ得、したがって問題をより少なくするような形でカートリッジ１０から供給され得る、ことを意味する。
【００６５】
図７では、カートリッジ１０が、２つの平行な折り畳み線に沿ってカートリッジパネル１２の左側側部５２および右側側部５４上に位置してそれにより各々がヒンジ式に折り曲げられることにより上方に方向付けられる側部ストリップ４８、５０となることができ、またカートリッジパネル１２に対して横向きに置かれ得る、パネル１２の２つの追加の長方形のストリップ部分４８、５０をさらに有する。両方のストリップ４８、５０がヒンジ線のところでカートリッジパネル１２に接合された状態を維持し、通常の使用ではパネル１２から脱着することが起こらない。図７に示されるように、ストリップ４８、５０がパネル１２の両側部５２、５４上に位置し、平らに置かれる手袋１４の幅（親指側１６から小指側１８までの幅）だけ離間される。これらのストリップ４８、５０がパネル１２を基準として上方に折り曲げられ、それぞれが親指側１６に隣接するようにおよび手袋１４の小指側１８上にくるように位置する。図７に示される実施形態では、側部ストリップ４８、５０が、手袋１４の２つの隣接するフィンガの間に位置する２つのストリップ２４、２６によって実現される位置合わせ補助との組み合わせで、手袋１４を位置合わせするのに使用され、それにより整然とした形で積み重ねるのを促進する。また、これらの側部ストリップ２４、２６は、箱５６の形態のクロージャ（換言すれば、囲い体）の中へのカートリッジ１０の摺動運動を促進することができる。
【００６６】
本明細書で説明される上のつまり上述の実施形態のうちの任意の実施形態の代替的形態では、２つの隣接するフィンガのみの間でのアライメント（換言すれば、位置合わせ）のために単一の長方形のストリップ部分（図中の部品番号２４または２６のいずれかによって示される部分など）を使用することも可能である。このような単一のストリップは、２つの平行な脆弱な切り込み線に沿ってパネルの残りの部分のボディから部分的に分離可能となり得、それによりヒンジ式に折り曲げられることにより上方に方向付けられるストリップとなることができ、またカートリッジのベースパネル１２に対して横向きに置かれ得る。発明者らにより、使用時にカートリッジに位置する複数の手袋を位置合わせするのに、任意の他のストリップまたはフラップあるいは他の要素を必要とすることなく、任意の２つの隣接するフィンガの間にある単一のストリップなどの単一の要素を使用することでも手袋１４を整然とした形で積み重ねるのを促進するのに十分となり得ることが示された。また、これに対しての別の代替的実施形態では、任意の２つの隣接するフィンガの間にある単一のフィンガ分離用ストリップを使用することがベースパネル１２から部分的に脱着してヒンジ式に上方に展開されるベースパネル１２の一部分の形態である必要はなく、別の手法により、使用前に例えば接着によりカートリッジの支持ベースパネルから突き出る形で着座するように予め取り付けられるかまたは予め付着されて形成される独立する突出部または突起部であってもよい。
【００６７】
本明細書で説明される上のつまり上述の実施形態のうちの任意の実施形態に対してのさらに別の代替的形態では、カートリッジが、手袋の開いた端部２２（つまり、口部分、または手首領域）の一方側においてカートリッジベースパネル１２のところに位置する単一のストリップ部分４４または４６（２つの平行な脆弱な切り込み線に沿ってパネル１２の残りの部分のボディから部分的に分離可能であるか、あるいはカートリッジベースパネルから突き出る形で着座するように付着されるための何らかの他の手段によりカートリッジベースパネルに取り付けられる）のみを使用するという選択肢を有することができ、その結果、手袋１４が十分に支持される。発明者らにより、任意の他のストリップまたはフラップあるいは他の要素を必要とすることなく、手袋の開いた端部２２（または、口部分の領域）の近くにある単一のストリップなどの単一の要素を使用することでも手袋１４を整然とした形で積み重ねるのを促進するのに十分となり得ることが示された。
【００６８】
さらに別の実施形態では、使用時にカートリッジに位置する複数の手袋を位置合わせするためのストリップまたはフラップあるいは他の形状の要素が、ベースパネル１２からの突起部またはベースパネル１２の一部分の形態である必要はなく、使用時に、例えばカートリッジの側壁が存在する場合にはカートリッジの側壁から手袋の位置に向かって内側に延在する独立する突出部または突起部であってもよい。例えば、図２、４、６、および８に示されるカートリッジの側壁６２、６４が存在し、ここでは、カートリッジ１０の特定の実施形態において、ベースパネル１２およびカートリッジの側壁６２、６４さらには端壁６６が一体に形成されてよい。したがって、これらの側壁から、多様な形状のストリップ部分またはフラップが、カートリッジ１０の内部空間の中へと延在するために少なくとも部分的に脱着することができるかまたは折り曲げられ得、フィンガの間などで手袋の何らかの部分を支持するのにあるいは開いた端部２２（または、口部分の領域）を位置合わせするのに使用され得る。
【００６９】
別の実施例では、カートリッジの側壁の内部（例えば、図２、４、６、および８では、部分６２、６４として示される）が、曲線、起伏のある形状、または他の形状などの、多様な内部形状要素の突出部または形成物をその上に有することができ、これらはカートリッジ１０の内部空間の中へと延在するように、および手袋を平らに方向付ける（カートリッジのベースパネル１２に平行に置く）ときに例えば各手袋の左側側部縁部または右側側部縁部の一方または両方に密に当接して支持するのに使用されるように構成される。最終的にカートリッジの中で積み重ねられることになる手袋の性質およびスタイルに応じて、これらの突出要素または形成物の特徴が、手袋の外形寸法に厳密に対応することができる任意の適切な他の形状または形態となるように、および複数の手袋を一様に位置合わせして積み重ねるのを促進するように、カートリッジの製造中に変更され得る。
【００７０】
上の実施形態のうちのいくつかの実施形態では、カートリッジベースパネル１２の端部上に位置するプルタブフラップ５８が、クロージャまたは箱５６に入るようなまたはそこから出るようなカートリッジ１０の摺動運動を促進することができ、これらのプルタブ５８が指用孔グリップ（ｆｉｎｇｅｒ  ｈｏｌｅ  ｇｒｉｐ）６０をさらに有する。このプルタブフラップ５８は、箱５６を装填する操作者の手が、カートリッジ１０上で積み重ねられて位置合わせされた手袋１４に接触することがない、ことを意味する。
【００７１】
図２、４、６、および８の各々が、図１、３、５、および７のそれぞれのカートリッジのデザインの実施形態を描いており、ここでは、カートリッジ１０の追加の特徴がそれぞれのクロージャまたは箱５６の中で摺動可能に受けられるかまたは箱５６のベースパネル１２と一体に形成されてそれ自体が箱５６のベースパネル１２である。これらの例示の図では、各箱５６が、２つの平行な側壁６２、６４と、ベースパネル１２と、端壁６６とを備え、ここでは、ベース１２および端壁６６の各々が２つの側壁６２、６４の間を延在する。箱５６のベースパネル１２がそれぞれのカートリッジ１０の形状寸法に一致する断面形状を有し、その結果、挿入式カートリッジタイプの構成内で、カートリッジ１０が箱５６の端部の中に摺動可能に挿入され得、箱５６のベースパネル１２の上に位置させ得る。箱５６の側壁６２、６４は、カートリッジパネル１２に対して横向きに展開されるとき、上方に方向付けられるヒンジ式のストリップ２４、２６の高さに一致する（または、それより大きい）高さを有する。箱５６の側壁６２、６４および端壁６６は、カートリッジ１０上に積み重ねられて位置合わせされた手袋１４を支持することおよび無菌状態で収容することを実現し、また、後で簡潔に説明されるように、手袋供給機械の中で使用されるのに適する。いくつかの実施形態では、図９に関連して説明されるように、クロージャが蓋付き箱である。
【００７２】
図９に示されるように、カートリッジ１０が開放可能である端部フラップ６８を備える箱５６の中へ摺動可能に位置する。このような挿入式カートリッジの構成では、供給するために手袋１４を箱から取り除くことが必要であるような状況において、カートリッジ１０が箱５６から摺動可能に外され得、一方で、一体化されるカートリッジは、手袋１４の供給を開けられた箱から直接に行うようにする箱の一部として直接に構築されることを意図される。図９に示される構成では、使用時、箱の端部フラップ６８が、積み重ねられて位置合わせされた手袋１４を載置された後で箱５６の中に挿入された手袋カートリッジ１０を摺動可能に外すのを可能にするように動作可能であり、それによりディスペンサ機械により手袋１４にアクセスすることが可能となる。図１０（ａ）から１０（ｃ）に示される一連の図面は、それぞれ、フィンガ支持ストリップ２４、２６（図１０（ａ））を備えるカートリッジ１０上に積み重ねられる手袋１４を示しており、ここでは手袋１４がさらに、積み重ねられて位置合わせされた手袋１４の側部縁部１６、１８を位置合わせするための支持体として箱の側部を使用することにより箱５６の中に装填されており、したがってここでは整然として形で積み重ねることが促進され、さらには、カートリッジ１０を箱５６（図１０（ｂ））の中へ押すためのプルタブフラップ５８を使用することにより、箱５６の端部を介してその中でカートリッジベースパネル１２が摺動するように誘導されるようになる。次いで、箱の端部フラップ６８が閉じられ、クロージャクリップを用いてまたは可能性として接着剤を用いてその外側縁部（図１０（ｃ））のところで密閉され、それにより手袋１４へのアクセスを防止する。
【００７３】
図１０（ｄ）から１０（ｆ）に示される一連の図面は、それぞれ、装填された手袋カートリッジ１０が密閉された箱５６（図１０（ｄ））から外される、逆の順序を示す。前方端部のところのクリップを解放することにより、あるいは有孔縁部に沿って裂くかまたは接着シールを破損させることにより、箱５６が開けられる。次いで、使用者がプルタブフラップ５８を把持して補充済みのカートリッジ１０を摺動可能に引いて箱５６から出す（図１０（ｅ））。箱５６から外されると、装填済みのカートリッジ１０はその時点で、手袋供給機械によりカートリッジ１０から水平方向または垂直方向に手袋１４を供給することの準備が整う（図１０（ｆ））。
【００７４】
図１０（ｄ）から１０（ｆ）に示される手法の別の実施形態では、装填された手袋カートリッジは密閉された箱から必ずしも外されなくてよい（図１０（ｄ））。やはり、前方端部のところのクリップを解放することにより、あるいは有孔縁部に沿って裂くかまたは接着シールを破損させることにより、また単純には上側の蓋７０を外すことにより、箱５６が開けられ得る。この場合、使用者は、補充済みのカートリッジ１０を有する蓋のされていない箱５６を、後で手袋供給機械によりカートリッジ１０から水平方向でまたは垂直方向で供給されることになる手袋のための供給機械の中へ置くことになる。
【００７５】
図１１に示されるように、カートリッジが、はぎ取られる上蓋または蓋と前方フラップとの組み合わせを用いて開放可能である箱の一部分として形成される。このような一体化されるカートリッジ構成では、カートリッジ１０は実際には箱５６のベースパネルであり、開けられた箱５６から直接に供給が行われる。図１１に示される構成では、使用時、箱の蓋７０および端部フラップ６８が使用者によってはぎ取られ、それにより、箱５６の残りの３つの壁６２、６４、６６の中に置かれる、積み重ねられて位置合わせされた手袋１４に対してディスペンサ機械をアクセスさせることが可能となる。図１２（ａ）から１２（ｃ）に示される一連の図面は、それぞれ、箱５６のベースパネル１２として一体に形成されるカートリッジ１０上に積み重ねられることになる手袋を補充することの準備が整った平らに置かれた空の展開された箱を示す。２つのフィンガ支持ストリップ２４、２６が箱（図１２（ａ））のカートリッジベースパネル１２に例えば接着により接合され、次いで垂直方向の直立位置にくるように曲げられるかまたはそのように形成される。次いで、積み重ねられる手袋との適切なアライメントのためのガイドとして箱側部６２、６４および／または他の隆起する支持ストリップを使用することにより、手袋１４が箱の中に装填される（図１２（ｂ））。この方式では、フィンガ支持ストリップ２４、２６の周りに形成されてはいるものの箱の壁６２、６４、６６を用いずに手袋を垂直方向に積み重ねることが望ましく、それにより容易にアクセスすることが可能となり、また側壁上で手袋が引っ掛かったりまたは捕捉されたりすることが防止される。手袋１４が積み重ねられると、箱の側壁６２、６４ならびに蓋７０および端部フラップ６８が上方に折り曲げられ、クロージャクリップを用いてまたは可能性として外側縁部のところにある接着剤を用いて閉じられて密閉される（図１２（ｃ））。箱の壁は、カートリッジベースパネルから垂直方向に延在させられるとき、展開される支持ストリップ２４、２６の高さに対応する高さを少なくとも有する。
【００７６】
図１２（ｄ）から１２（ｆ）に示される一連の図面は、それぞれ、密閉された箱（図１２（ｄ））を開けることにより装填された手袋カートリッジ（箱のベースパネルである）が露出される、逆の順序を示す。例えば、前方端部フラップ６８のところのクリップを解放することにより、あるいはその有孔縁部に沿って裂くかまたは接着シールを破損させることにより、箱５６が開けられる。次いで、使用者が箱の蓋７０をはぎ取り、それにより箱の残りの壁の中に着座する位置合わせされた手袋１４のスタックを露出する（図１２（ｅ））。蓋が箱から外されるかまたははぎ取られると、手袋がその時点で、手袋供給機械（図１２（ｆ））により箱から垂直方向に供給されることの準備が整い、ここでは図９および１０に示される実施形態に関連して上で説明したようにはベースカートリッジを摺動可能に外すことの必要性がない。
【００７７】
図１３および１４を参照すると、既に説明した種類の挿入カートリッジ１０が、積み重ねられるときの手袋１４の２つの隣接するフィンガの間に位置させるための、上方に折り曲げられてベースパネル１２から延在する２つのストリップ２４、２６の特徴を描くように示される。図１３に示される実施形態では、ストリップが、それぞれの手袋の２つ別の隣接するフィンガである、人差し指３４と中指４２との間、および手袋の中指４２と薬指３６との間に位置させるように構成される。これらの手袋位置合わせ補助ストリップ２４、２６が、ストリップ２４、２６に対して各々が嵌められる取り外し可能な追加の高さ延長スリーブ７２、７４を必要に応じてさらに有することができる。
【００７８】
図１３では、カートリッジ１０が、接着によりまたは何らかの他の取付手段によりパネル１２に取り付けられる２つの追加の箱形状部分７６、７８をさらに有する。これらの箱形状部分７６、７８はカートリッジパネル１２から延在する材料のストリップから形成されてもよく、ヒンジ式に折り曲げられて上方に方向付けられる箱形状７６、７８となることができ、それによりカートリッジパネル１２から垂直方向に突出する。使用時、箱形状部分７６、７８が手袋１４の開いた端部２２（つまり、口部分、または手首領域）の両側に位置し、その結果、手袋がそれらの間で支持されてそれらの間でより容易に積み重ねられるようになる。手袋１４の２つの隣接するフィンガの間に位置する２つのストリップ２４、２６の位置合わせ支持と併せた、手袋の開いた端部２２の両側に位置する箱形状部分７６、７８によって実現される追加的な支持は、手袋がカートリッジ１０上でより整然と積み重ねられ得、したがって問題をより少なくするような形でカートリッジから供給され得る、ことを意味する。図１４（ａ）および１４（ｂ）が、図１３のカートリッジ１０に位置するときの使い捨て手袋１４のスタックの２つの図を示す。手袋１４の開いた端部２２（つまり、口部分、または手首領域）が適切に位置合わせされる場合に位置合わせされた手袋１４のスタックが機械により、より良好に供給され、これが、上方に折り曲げられてカートリッジ１０のベースパネル１２から延在する２つのストリップ２４、２６によって実現されるフィンガの支持の場合よりも、効果的な機械の動作に対してより影響を与えることができる、ことが分かっている。
【００７９】
次に図１５（ａ）および１５（ｂ）を参照すると、図１３のカートリッジが、剛体の側壁を有して例えば金属またはプラスチックで作られてよい設置用ブラケット８０上に垂直方向に載置されて示される。このような設置用ブラケット８０を使用することにより、カートリッジ１０上に載置するときの積み重ねられた手袋１４の位置合わせがさらに容易となり得る。
【００８０】
次に図１６（ａ）から１６（ｄ）を参照すると、図１３のカートリッジが、側壁を有さない設置用ブラケット８２上に垂直方向に載置されて示されるが、ここでは設置用ブラケット８２が２つの支持ポスト８４、８６を有し、上方に折り曲げられてベースパネル１２から延在する２つのそれぞれのストリップ２４、２６が、手袋積み重ね・補充ステップ中に、これらの２つの支持ポスト８４、８６に接触する形で静止することができる。これらの支持ポスト８４、８６は使用時の隣接するビニル手袋１４に対してのいかなる考えられるダメージも防止するために断面が円形であり、また使用時に横方向に曲がるかまたは垂れ下がる可能性があるストリップ２４、２６の曲がりやすさを低減するために手袋積み重ねプロセスにおいてストリップ２４、２６に対しての追加的な支持を実現する。カートリッジストリップ２４、２６がカートリッジベースパネル１２からほぼ垂直方向に延在することができる場合、手袋１４を載置することおよびフィンガを直線状にすることがより容易になり、それにより垂直方向の手袋のスタックが作られることになる。図面に示されるように、設置用ブラケット８２はまた、手袋１４の開いた端部２２（つまり、口部分、または手首領域）の両側に位置する箱形状部分７６、７８を正方形のアライメントで維持し、それにより手袋１４の開いた端部領域２２の積み重ねに一様性をもたせるのを補助する。
【００８１】
さらに別の実施形態では、カートリッジが以下のうちのいずれかを有することができる：（ａ）２つの長方形のストリップ部分２４、２６（２つの平行な脆弱な切り込み線に沿ってパネル１２の残りの部分のボディから部分的に分離可能であるか、または何らかの手段によりカートリッジベースパネルに取り付けられる）であって、ここでは各ストリップ２４，２６が手袋１４の２つの隣接するフィンガの間に位置する；あるいは（ｂ）手袋１４を支持するような形で、手袋の開いた端部２２（つまり、口部分、または手首領域）の両側においてカートリッジベースパネル１２に位置する２つの長方形のストリップまたは箱部分４８、５０。手袋の支持のこれらの２つの構成のいずれでも、単独で、カートリッジ１０上で整然とした形で手袋を積み重ねることおよびひいては問題をより少なくするような形で手袋をカートリッジ１０から供給することを促進することが可能である。これらの２つの種類の構成のさらに別の実施形態では、カートリッジ１０自体が箱５６のベースパネル１２を形成してよく、この場合は開けられた箱から直接に供給が行われる。
【００８２】
さらに別の実施形態では、カートリッジが以下のうちのいずれかを有することができる：（ｉ）１つの長方形のストリップ部分（２４または２６）（２つの平行な脆弱な切り込み線に沿ってパネル１２の残りの部分のボディから部分的に分離可能であるか、または何らかの手段によりカートリッジベースパネルに取り付けられる）であって、ここではストリップが手袋の２つの隣接するフィンガの間に位置する；あるいは（ｉｉ）手袋を支持するような形で、手袋の開いた端部２２（つまり、口部分、または手首領域）の一方側においてカートリッジベースパネル１２に位置する１つの長方形のストリップまたは箱部分（７６または７８）。手袋支持手段のこれらの２つの構成のいずれでも、単独で、カートリッジ１０上で整然とした形で手袋１４を積み重ねることおよびひいては問題をより少なくするような形で手袋をカートリッジ１０から供給することを促進することが可能である。これらの２つの種類の構成のさらに別の実施形態では、カートリッジ１０自体が箱５６のベースパネル１２を形成してよく、この場合は開けられた箱から直接に供給が行われる。
【００８３】
次に図１７（ａ）および１７（ｂ）を参照すると、図１３のカートリッジ１０が、隣接する位置合わせされた複数の使い捨て手袋１４を載置されて示されており、ここでは、手袋の各々が、各手袋１４のそれぞれの開いた端部の中に嵌合される概略長方形形状の平面的なタブ８８を有する。これらの平面的なタブ８８の各々が、各手袋１４の開いた端部２２の中へと少なくとも部分的に延在して手袋材料の弾性によりそこで保持される舌部分９０を有する。各手袋１４の中に嵌められるタブ８８は肩部セクション９２をさらに有し、この肩部セクション９２が使用時にカートリッジ１０の２つの箱形状部分７６、７８の外側縁部に接触する形で静止する。この方法により、タブ８８の肩部セクション９２をカートリッジ１０の箱形状部分７６、７８に接触させる形で静止させるように位置決めすることにより、各手袋１４が位置合わせされる形で支持される。必要である場合、手袋１４が１つまたは２つの長方形のストリップ部分２４、２６（２つの平行な脆弱な切り込み線に沿ってパネル１２の残りの部分のボディから部分的に分離可能であるか、または何らかの手段によりカートリッジベースパネル１２に取り付けられる）のいずれかによってさらに支持されてもよく、ここでは上の実施形態で説明したように上記または各々のストリップ２４、２６が手袋の任意の２つの隣接するフィンガの間に位置する。
【００８４】
次に図１８（ａ）および１８（ｂ）を参照すると、隣接した位置合わせされた使い捨て手袋の各々が、各手袋１４のそれぞれの開いた端部２２の中に嵌合される概略三角形形状の平面的なタブ９４を有する。これらの平面的なタブ９４は図１７（ａ）および１７（ｂ）で説明される肩部９２を備える長方形のタブ８８と同じように機能するが、各タブ９４が平面的なタブ９４の頂点９８の近くに位置する貫通孔９６をさらに有し、これはタブ９４および取り付けられる手袋１４がロッド１００またはワイヤ、あるいは同様の細長い部材上で位置合わせされ得ることを意味する。いくつかの供給構成では、図１８（ａ）に示される向きで示されるように、手袋を垂直方向に隣接して位置合わせして装填することが好都合である可能性がある。また図１８（ａ）で示されるように、タブ９４および取り付けられる手袋１４をその中へと位置合わせおよび配置することができるカートリッジ１０が存在し、カートリッジ１０が、互いに方形を形成するように位置合わせされる、手袋１４の開いた端部２２（つまり、口部分、または手首領域）の両側でカートリッジベースパネル１２に位置する２つの長方形ストリップ部分４４、４６をさらに有し、したがってそれにより手袋１４の開いた端部２２の領域の積み重ねに一様性をもたせるのを補助する。このように改善される積み重ねは、カートリッジ１０から手袋１４を供給する手順を補助する。
【００８５】
手袋が図１７（ａ）および１８（ａ）に示されるように隣接した位置合わせされた形で位置決めされて手袋１４がカートリッジ１０上でまたは箱のベースパネルのところで支持されると、平面的なタブ８８，９４が、手袋のスタックの中の各々の手袋１４の開いた端部２２から取り除かれ得る。次いで、カートリッジ１０を箱５６の中へ摺動させるかまたは手袋１４をその上に積み重ねるところのベースパネル１２の周りに箱５６を形成して箱５６を密閉することにより、積み重ねられた隣接する手袋が何らかの種類のクロージャまたは箱５６の中に置かれ、その結果、他の実施形態の場合において上で説明したように、手袋１４が手袋供給機械によって供給される準備が整う。手袋のカートリッジを収容するのに使用されるタイプのクロージャの別の実施例が図１９に示されており、これが、蓋７０の上に三角形の側部パネル１０２を有し、それにより蓋７０を閉じた状態における箱１０４全体の剛性を向上させることができる。閉じる形での係合（ｃｌｏｓｉｎｇ  ｅｎｇａｇｅｍｅｎｔ）を実現するために、蓋７０の端部縁部１０６が、使用時に、箱１０４のベースパネル１２の縁部のところに形成されるタブフラップ１１０内のスロット１０８の中で受けられる。
【００８６】
本開示はまた、使用者の手の上で使用されるための使い捨て手袋を供給するための機械の特徴、およびそのような機械を使用するための方法に関連する。開示される実施形態では、手袋が、既に説明した実施形態のうちの任意の実施形態に従って、カートリッジ内で、あるいはカートリッジを収容するかまたは有する箱内で、位置合わせされて積み重ねられる形で、積み重ねられる。示される供給機械のうちの任意の供給機械の狙いは、手袋の外部表面の汚染を最小にしながら手袋を使用者に提供するのを可能にするために、手袋供給・開放プロセスを自動化することである。以下の例示の実施形態では、いずれの実施形態の構成要素も同じまたは同様の機能を有する場合、参照を容易にするために同じ部品番号が与えられる。
【００８７】
次に、図２０、および図２１（ａ）から２１（ｅ）に示される実施形態を参照すると、供給機械１１２が示されており、ここでは、手袋１４の水平方向のスタックが、カートリッジ１０を有する開けられた箱５６の中に位置する。手袋１４が、カートリッジ１０を機械１１２内のその初期位置から移動させることなく垂直の向き（つまり、「親指を上にした向き」）で手袋を使用者の手に提供する機械１１２により、一回に一つずつ供給され得る。示される機械（図２１（ａ））は、正方形形状の前面を有する第１の吸引カップ１１６の形態の吸引デバイスを装着される関節アーム１１４を有する。関節アーム１１４が、図２１（ｂ）に示されるように、使用時、第１の吸引カップ１１６を手袋１４に接触する位置まで移動させるように構成され、次いで吸引カップ１１６が、吸引力を適用することにより単一の手袋の一方の面（手のひら側１１８または背面側１２０）を保持するように作動させられる（つまり、吸込圧力が適用される）。手袋１４を保持するように第１の吸引カップ１１６が作動させられることで、供給機械１１２の内部側壁に位置する設置位置１１５を中心として関節アーム１１４が枢動するときのカートリッジ１０の高さより高いところでの関節アーム１１４の動作により、保持される手袋を移動させることが可能となる。手袋１４が、横たわるように積み重ねられる手袋のカートリッジまたは箱５６から出るように持ち上げられてカートリッジ１０の上方の位置まで上昇させられ、さらに図２１（ｃ）に示されるように、第１の吸引カップ１６６の前方平面と関節アーム１１４の軸との間の角度が固定されることを理由として、この時点で手袋がその元の水平方向の位置に対して直角に方向付けられることになる。このような垂直の向き（つまり、「親指を上にした向き」）は図２１（ｃ）に示される通りである。吸引力の作用は吸引ポンプを起動することの結果として起こるものであってよい。吸引カップ１１６は、ゴム、ビニル、ｐｖｃ、あるいは何らかの他の可撓性材料またはプラスチック材料で作られる外部表面を有し、使用時に接触する手袋にダメージを与えたりまたは手袋を引きちぎったりすることがないように丸みのある縁部を備える。
【００８８】
手袋１４が上で言及した垂直の向きで保持されると、テレスコープ式に移動可能であるアーム１２４の端部に取り付けられる形で支持される第２の吸引カップ１２２の形態の固着手段がカートリッジ１０の頂部を横切る方向に横方向に移動可能であることから、吸引カップ１２２が手袋１４のもう一方側（第１の吸引カップ１１６にまだ取り付けられていない方の手のひら側１１８または背面側１２０のうちのもう一方）に接触することができるようになる。次いで、第２の吸引カップ１２２が、吸引力を適用することにより手袋の上記もう一方側を保持するように作動させられ得る。これは以下のことを意味する：この時点で手袋１４がそのより大きい側面１１８、１２０の両方においてそれぞれの吸引カップ１１６、１２２によって保持されており、したがってカートリッジ１０の頂部を横切る反対方向に可動アーム１２４を横方向に移動させて第２の吸引カップ１２２をそれぞれのもう一方の吸引カップ１１６から離れる方向に移動させる場合に、広げられて開かれ得る。図２１（ｅ）に示される実施形態では、テレスコープ式に移動可能であるアーム１２４が後退させられて静止した関節アーム１１４から離れるように移動させられ、それにより使用時に、その開いた端部２２のところで人の手を入れるのを可能にするのに十分な広さで手袋１４を広げる（これは図２０のより大きい図でも示される）。したがって、使用者が手袋の外側に触れることを必要とすることなく手袋１４の開いた端部（口部分）２２の中に自分の手を挿入することができ、この間は手袋は「親指を上にした」向きで差し出されることになる。手袋の中に手が挿入されると、両方の吸引カップ１１６、１２２に適用される吸込圧力が停止されてよく、それにより手袋の側１１８、１２０を吸引カップ１１６、１２２から解放することが可能となり、その結果、使用者が手袋を身に着けた手を装置から引っ込めることができる。関節アーム１１４およびテレスコープ式に移動可能であるアーム１２４の移動の力は手袋の面１１８、１２０のいずれかに適用される吸引力の圧力よりも決して大きくなく、したがって両方の吸引カップ１１６、１２２から手袋１４を外したりすることがなく（手袋が外れる場合には使用のために手袋を開くことができなくなる）、また手袋をバラバラに引きちぎったりするくらいに強力なものとなることもない。
【００８９】
供給機械の他の実施形態では、第１の吸引カップを保持する関節アームもテレスコープ機能を有してもよく、第２の吸引カップが例えば関節アームに取り付けられてもよい。供給機械の他の実施形態では、テレスコープ式に移動可能であるアームが静止した状態を維持してよく、関節アームが使用時にテレスコープ式アームを基準として後退可能に移動することができ、それによりその開いた端部において人の手を入れるのを可能にするのに十分な広さで手袋を広げる。吸引カップを使用することには手袋の外側表面を接触汚染することがないという利点があるが、さらに別の実施形態では、吸引カップを使用することが、無菌状態を維持しながら非永久的な形で手袋の面に接合されるのに十分であるような、接着性の表面または「粘着性の」表面などの、別の形態の一時的な結合を使用することに入れ替えられ得る。
【００９０】
次に、図２２、および図２３（ａ）から２３（ｈ）に示される実施形態を参照すると、供給機械１２６が示されており、ここでは、手袋１４の水平方向のスタックがカートリッジ１０を有する開けられた箱５６の中にある。手袋が、カートリッジ１０の移動が行われた後で水平方向の向き（つまり、「親指を側方にした向き」）で手袋１４を使用者の手に提供する機械１２６により、一回に一つずつ供給され得る。機械１２６（図２３（ａ））が、テレスコープ式の伸長・後退機構を使用して動作する単一の中央に位置する関節アーム１２８を有する。関節アーム１２８の最下端領域が、図２０および２１に関連して上で説明したタイプの第１の吸引カップ１１６を装備する。テレスコープ式アーム１２８が、使用時にその長手方向軸（Ｘ−Ｘ）に沿って上方および下方に垂直方向に移動するように構成される。積み重ねられる手袋１４のカートリッジ１０（または、箱５６）が、テレスコープ式アーム１２８の垂直方向軸Ｘ−Ｘの下方に位置合わせされるような位置まで、レールまたはトラック１３２上に位置するプラットフォーム１３０上で垂直方向の軸Ｘ−Ｘを基準として側面に沿って横方向に摺動することにより、移動可能である（図２３（ｃ））。このようにして、テレスコープ式アーム１２８が、カートリッジ１０に位置する手袋１４に接触させて（図２３（ｄ））次いで空気吸引力の適用により単一の手袋１４の一方の面（手のひら側１１８または背面側１２０）を保持するように作動させる位置まで吸引カップ１１６を下方に移動させることができる。このようにして、手袋１４を保持するための第１の吸引カップ１１６の作動により、テレスコープ式アーム１２８が動作することで、水平方向で積み重ねられる手袋のカートリッジ１０（または、箱５６）から出るように保持される手袋１４を移動させることが可能となり、またカートリッジ１０の上方の位置まで上昇させて図２３（ｅ）に示されるように同じ水平方向の向きで保持することが可能となる。次いで、カートリッジ１０がテレスコープ式アーム１２８の軸Ｘ−Ｘの下から面に沿って横方向に移動される（図２３（ｆ））。
【００９１】
未供給の手袋のカートリッジ１０が面に沿って横方向に移動されると、第２の静止した吸引カップ１２２が、積み重ねられた手袋のカートリッジ１０（または、箱５６）をその上で側方に移動させるところのレールまたはトラック１３２の下方の機械１２６のベース領域または床領域１３４のところで露出される。静止した吸引カップ１２２は、図２３（ｆ）に示されるように、テレスコープ式の関節アーム１２８の軸Ｘ−Ｘに位置合わせされるように位置決めされる。次いで、第１の吸引カップ１１６によって保持される手袋１４が第２の吸引カップ１２２の方に向かうように垂直の軸方向Ｘ−Ｘに降下させられ、その結果、第２の吸引カップ１２２が手袋１４のもう一方側の面（第１の吸引カップ１１６にまだ取り付けられていない方の手のひら側または背面側のうちのもう一方）に接触することができる。次いで、第２の吸引カップ１２２が、吸引力の適用により、手袋１４の上記もう一方の側の面を保持するように作動させられ得る。これは以下のことを意味する：この時点で手袋１４がそのより大きい側面１１８、１２０の両方においてそれぞれの吸引カップ１１６、１２２によって保持されており、したがってテレスコープ式アーム１２８を第２の静止した吸引カップ１２２から離すように軸方向Ｘ−Ｘの垂直方向の上方に移動させる場合に、広げられて開かれ得る。図２３（ｈ）に示される実施形態では、テレスコープ式に移動可能であるアーム１２８が静止した吸引カップ１２２から離れるように移動し、それにより使用時に、その開いた端部２２のところで人の手を入れるのを可能にするのに十分な広さ（換言すれば、幅）で手袋の口部分を広げる（これは図２２のより大きい図でも示される）。使用者が、「親指を側方にした」向きで（手のひらが地面の方を向くか、または手のひらが上方を向く）、手袋の外側に触れることを必要とすることなく手袋１４の開いた端部（口部分）２２の中に自分の手を挿入することができる。手袋の中に手が挿入されると、両方の吸引カップ１１６、１２２に適用される吸込圧力が停止されてよく、それにより手袋１４の側１１８、１２０を吸引カップ１１６，１２２から解放することが可能となり、その結果、使用者が手袋を身に着けた手を装置から引っ込めることができる。テレスコープ式アーム１２８の移動の力は手袋の面１１８、１２０のいずれかに適用される吸引力の圧力よりも決して大きくなく、したがって両方の吸引カップから手袋１４を外したりすることがなく（手袋が外れる場合には使用のために手袋を開くことができなくなる）、また手袋をバラバラに引きちぎったりするくらいに強力なものとなることもない。
【００９２】
示される実施形態では、機械１２６のベース領域または床領域１３４のところに示される、積み重ねられて位置合わせされる使い捨て手袋１４の２つのカートリッジ１０が存在する。使用時、別のカートリッジ／箱１０に切り替える前にすべての手袋１４が１つのカートリッジ１０から供給されるまで、これらのカートリッジ１０のいずれかが、交互に、または一回に一つずつ、テレスコープ式アーム１２８の垂直方向軸Ｘ−Ｘの下に位置決めされるように、トラックまたはレール１３２に沿って摺動することにより横方向に移動させられ得る。図２３（ａ）に示される実施形態では、手袋が「左手用」または「右手用」の向きで積み重ねられ、つまり、左手用カートリッジ１０ａ内の積み重ねられた手袋１４の親指３２が、手のひらを下に向けた状態において、テレスコープ式アーム１２８の軸Ｘ−Ｘの方を向いており、同様に右側用カートリッジ１０ｂ内の積み重ねられた手袋１４の親指３２が、手のひらを下に向けた状態において、テレスコープ式アーム１２８の軸Ｘ−Ｘの方を向く。これは以下のことを意味する：使用中、使用者が、いずれの場合も「手のひらを下にする」向きで、左手を最初に差し出して次いで右手を差し出す形でまたはその逆で、自分の両手を連続して一つずつ機械１２６の中に入れることができ、上で説明した方式で、手袋１４が個別の左手用カートリッジ１０ａおよび次いで右手用カートリッジ１０ｂから供給されることになる。供給の順序は逆であってもよい（つまり、右手が先で、次いで左手であり、これはアクセスされるカートリッジに応じる）。
【００９３】
別の実施形態では、手袋が両方のカートリッジで同じ向きに積み重ねられてもよく、例えば、両方のカートリッジ内のすべての手袋が、カートリッジの左手側の上に親指を置いてカートリッジの右手側の上に小指を置くように、方向付けられてもよい。このような構成では、図２２の機械を使用するには、機械の中への挿入中に自分の手の向きを逆にする必要があり、ここでは使用者の右手はカートリッジのいずれかからの手袋を収容するために「手のひらを下にする」必要があり、使用者の左手がいずれかのカートリッジから手袋を収容するために「手のひらを上にする」ように方向付けられる必要がある。
【００９４】
機械の別の実施形態では、第１の吸引カップを保持するアームがやはり関節接続機能を有してよく、第２の吸引カップが例えばテレスコープ式アームに取り付けられてよい。
【００９５】
次に図２４、および図２５（ａ）から２５（ｆ）の実施形態を参照すると、供給機械１３６が示されており、ここでは、手袋１４のスタックが、それらの手袋のカートリッジ１０を収容する開けられた箱５６内に位置付けられており、カートリッジ１０が機械１３６内での使用時に横方向に方向付けられる。位置合わせされた手袋のスタックが、位置合わせする形で手袋１４のスタックを保持するテンションクリップ１４０により機械１３６の内部壁１３８のところの定位置で保持され、その結果、位置合わせされた手袋のスタックが横方向の向きにおいてカートリッジ１０から落下することがなくなる。カートリッジ１０およびテンションクリップ１４０は共に摺動可能プラットフォーム１４２上に位置し、摺動可能プラットフォーム１４２が、後で説明するように、機械１３６の内部の壁１３８上のレール１４４に沿って垂直方向に上下に移動することができる。手袋が、垂直の向き（つまり、「親指を上にする」向き）で手袋１４を使用者の手に提供する機械１３６により、一回に一つずつ供給され得る。
【００９６】
示される機械（図２４）が、テレスコープ式の伸長・後退機構を使用して動作する単一の関節アーム１４６を有する。関節アーム１２８の終端端部領域（ｔｅｒｍｉｎａｌ  ｅｎｄ  ｒｅｇｉｏｎ）が、図２０および図２２に示される実施形態に関連して上で説明したタイプの第１の吸引カップ１１６に嵌め込まれる。テレスコープ式アーム１４６が、使用時のその長手方向軸（Ｙ−Ｙ）に沿って水平方向の横向きの方向に移動するように構成される。積み重ねられる手袋１４のカートリッジ１０（または、箱５６）が横向きに方向付けられ、また、テレスコープ式アーム１４６の水平方向軸Ｙ−Ｙに位置合わせされるような位置までレールまたはトラック１４４上に位置するプラットフォーム１４２上で垂直に方向に上下に摺動することにより、移動可能である（図２５（ａ））。このようにして、テレスコープ式アーム１４６が、カートリッジ１０に位置する手袋１４に接触させて（図２５（ｂ））次いで空気吸引力の適用により単一の手袋１４の一方の面（手のひら側または背面側）を保持するように作動させられる位置まで吸引カップ１１６を横方向に移動させることができる。手袋１４の面を保持するように第１の吸引カップ１１６が作動させられた後で、テレスコープ式アーム１４６が後退させられ、それにより保持される手袋１４が、テレスコープ式アーム１４６の動作により、テンションクリップ１４０によって握持される状態から出るようにおよび積み重ねられた手袋のカートリッジ１０（または、箱５６）から出るように移動される。手袋１４は、カートリッジ１０から離れる位置まで移動されると、図２５（ｃ）に示されるように垂直の向きで保持される。次いで、カートリッジ１０およびテンションクリップ１４０が供給機械１３６の動作により機械の内壁１３８に沿って垂直方向に上方に移動させられ、テレスコープ式アーム１４６の水平方向軸Ｙ−Ｙに位置合わせされた状態から離れる（図２５（ｄ））。
【００９７】
未供給の手袋のカートリッジ１０が摺動することにより垂直方向の上方に移動されると、第２の静止した吸引カップ１２２の形態の固着手段の位置が機械１３６の壁１３８のところで露出され、図２５（ｄ）に示されるように、テレスコープ式アーム１４６の軸Ｙ−Ｙに位置合わせされる。次いで、第１の吸引カップ１１６によって保持される手袋１４が、テレスコープ式の関節アーム１４６の同じ水平方向軸の方向Ｙ−Ｙに、第２の吸引カップ１２２に向かって横方向に移動させられ、その結果、第２の吸引カップ１２２が図２５（ｅ）に示されるように手袋のもう一方側の面（手のひら側または背面側である、もう一方側）に接触することができる。次いで、第２の吸引カップ１２２が吸引力の適用により手袋のそのもう一方側の面を保持するように作動させられ得る。これは以下のことを意味する：この時点で手袋１４がそのより大きい側面１１８、１２０の両方においてそれぞれの吸引カップ１１６、１２２によって保持されており、したがってテレスコープ式アーム１４６を第２の吸引カップ１２２から離すように軸方向Ｙ−Ｙに水平方向に移動させる場合に、広げられて開かれ得る。図２５（ｆ）に示される実施形態では、テレスコープ式に移動可能であるアーム１４６が静止した吸引カップ１２２から離れるように移動し、それにより使用時に、その開いた端部２２のところで人の手を入れるのを可能にするのに十分な広さで手袋を広げる（これは図２４のより大きい図でも示される）。使用者は、「親指を上にした」向き（手のひらが側方を向く）で手袋が差し出される状態において、手袋１４の外側に触れることを必要とすることなく手袋１４の開いた端部（口部分）２２の中の自分の手を挿入することができる。手袋の中に手が挿入されると、両方の吸引カップ１１６、１２２に適用される吸込圧力が停止されてよく、それにより手袋１４の側１１８、１２０を吸引カップ１１６，１２２から解放することが可能となり、その結果、使用者が手袋を身に着けた手を装置から引っ込めることができる。テレスコープ式アーム１４６の移動の力は手袋の面のいずれかに適用される吸引力の圧力よりも決して大きくなく、したがって両方の吸引カップ１１６、１２２から手袋を外したりすることがなく（手袋が外れる場合には使用のために手袋を開くことができなくなる）、また手袋をバラバラに引きちぎったりするくらいに強力なものとなることもない。
【００９８】
示される実施形態では、積み重ねられて位置合わせされる使い捨て手袋の１つのカートリッジが示される。使用時、使用者が、左手および右手を交互に機械に中に挿入するときに、使用者の左手または右手のいずれに対しても手袋１４を嵌めるのに適する「親指を上にした」向きで自分の手を手袋の中に挿入する。別の実施形態では、図２６に示されるように、図２４に示される機械１３６のすべての機能、および図２５（ａ）から２５（ｆ）に示されるものと同じ動作原理を有する手袋供給機械１５０が示されるが、これは同一の機能の鏡像の機械構成を有する（２つの機械１３６の背中合わせの組み合わせ）。このような二重の手袋供給システムは、図２６に示されるように、２つの手袋１４を使用者の左手および右手に同時に嵌めるのを可能にし、ここでは、２つの手袋の各々が人の手を入れるのを可能にするように開いた構成で示される。この装置の両方の部分で、手袋が両方のカートリッジまたは箱の中で「親指を上にした」構成で同じ向きで積み重ねられる。
【００９９】
図２４および２６に示される機械の他の実施形態では、第１の吸引カップを保持するアームが、例えば、テレスコープ機能のみではなく、関節接続機能も有することができる。吸引カップデバイスが採用されるようないくつかの実施形態では、１つの別の構成が、図２７（ａ）および２７（ｂ）に示されるように、関節アームまたはテレスコープ式アーム１５４の端部に嵌められる複数回使用される小さい関節接続吸引カップ１５２を有することができる。この構成では、各手袋１４の大きい面１１８、１２０の各々において小さい吸引カップ１５２の対が採用され、それにより、手袋の口側の端部の形状をより円形にすることにより、その開いた端部（口部分）２２のところで人の手を入れるのを可能にするのに十分な広さで手袋をより良好に広げて開くのを可能にする。
【０１００】
次に、図３０、および図３１（ａ）から３１（ｄ）に示される実施形態を参照すると、供給機械１７０が示されており、ここでは、手袋１４の水平方向のスタックがカートリッジ１０を有する開けられた箱５６の中に位置する。手袋１４が、カートリッジ１０を機械１７０内のその初期位置から移動させることなく垂直の向き（つまり、「親指を上にした向き」）で手袋を使用者の手に提供する機械１７０により、一回に一つずつ供給され得る。示される機械１７０（図３１（ａ））は、使用時にその長手方向軸（Ｘ−Ｘ）に沿って垂直方向に上下に移動するように構成される、テレスコープ式の伸長・後退機構を使用して動作する単一の中央に位置する関節アーム１７２を有する。関節アーム１７２の最下端領域には、図２０および図２１に関連して上で説明したタイプの、第１の吸引カップ１１６の形態の吸引デバイスが嵌め込まれる。関節アーム１７２が、使用時に手袋１４に接触する位置まで第１の吸引カップ１１６を移動させるように構成され、次いで吸引カップ１１６が、図３１（ｂ）に示されるように、吸引力を適用することにより単一の手袋１４の一方の面（この事例では、手のひら側１１８ではなく背面側１２０）を保持するように作動させられる（つまり、吸込圧力が適用される）。このようして、手袋１４を保持するように第１の吸引カップ１１６が作動されることで、アーム１７２が供給機械１７０内でカートリッジ１０のすぐ上のところまで上方に上昇させられるときに、関節アーム１７２の動作により、保持される手袋を移動させることが可能となる。手袋１４が水平方向に積み重ねられる手袋のカートリッジまたは箱５６から出るように持ち上げられて、図３１（ｂ）に示されるようにカートリッジ１０の上方の位置まで上昇させられる。
【０１０１】
吸引カップ１１６が関節アームの終端端部領域またはヘッド領域１７４のところで関節アーム１７２に接合される。ヘッド領域１７４が吸引カップ１１６のための支持体として設置用ブラケット１７６を備え、ブラケット１７６自体が関節アーム１７２に接合され、ボール・ソケット継手１７８を介して関節アームを中心としてやはり枢動可能である。このような接続部分は、カートリッジまたは箱５６の中に最初に手袋１４を位置するときに手袋１４を基準として吸引カップ１１６の位置を方向付けるためのより高い柔軟性を得るのを可能にするために多数の多様な自由度を有する。手袋１４が供給時にカートリッジ１０内で一様に積み重ねられて位置合わせされる形で供給されない場合（例えば、カートリッジ内に位置するようなフィンガ用位置合わせ突起部または口部分用位置合わせ突起部あるいは側部用位置合わせ突起部が存在しない場合）、完全な水平方向のアライメントから最も上側の手袋の角度を最大１５〜２０度で変化させ得る。これを理由として、ボール・ソケット継手１７８が吸引カップ１１６を設置するための高い柔軟性で移動可能であるパドルを形成し、吸引カップ１１６が関節アームの軸（Ｘ−Ｘ）を中心として枢動可能に完全に回転することができる（つまり、図３１（ｂ）さらには図３２の矢印Ｂによって示されるように３６０度で）。これは一定の角度（ａｎｇｕｌａｒｌｙ）で回転可能であってもよく（図３１（ｃ）さらには図３２に示される矢印Ａによって示されるように最大で９０度）、この場合、ヘッド領域１７４および設置用ブラケット１７６の中心軸（Ｙ−Ｙ）が、細長い関節アーム１７２の軸（Ｘ−Ｘ）に同軸に位置合わせされた状態から外れるように移動される。ボール・ソケット継手１７８を特徴とする手袋接触・脱着機構がスイング平面（ｓｗｉｎｇ  ｐｌａｎｅ）さらにはピッチ平面の両方での自由度を提供し、それにより、カートリッジ１０または箱５６の中で手袋１４を吸引カップ１１６に当てるときに、位置がずれた状態で積み重ねられた手袋１４でも接触して保持することが可能となる。
【０１０２】
次に図３１（ｃ）を参照すると、この供給機械１７０の一連の動作での次のステップが、ヘッド領域１７４および設置ブラケット１７６の中心軸（Ｙ−Ｙ）を細長い関節アーム１７２の軸（Ｘ−Ｘ）に対して直角にするような向きとなるようにヘッド領域１７４が回転する（矢印Ａによって示される角度で）ように制御されるステップであり、ここでより重要なことは、この時点で中心軸（Ｙ−Ｙ）が手袋固着手段の向きの軸（Ｚ−Ｚ）に同軸に位置合わせされることである。したがって、この時点では、起動された吸引カップ１６によって担持される手袋１４が、図３１（ｃ）に示されるように、その元の水平方向の位置に対して直角に方向付けられており、垂直の向き（つまり、「親指を上にした向き」）にある。手袋１４がこの垂直の向きである場合、関節アーム１７２およびヘッド領域１７４の全体が、機械１７０の内部壁のところの設置位置で支持される第２の吸引カップ１２２の形態の固着手段の方に向かうように（矢印Ｍによって示されるように）、カートリッジまたは箱５６の上方でのその位置から離れる方向に（ブラケット付きのトラック（ｂｒａｃｋｅｔｅｄ  ｔｒａｃｋ）１８０内の示されない機構により）移動されるように構成される。吸引カップ１２２が手袋１４のもう一方側（第１の吸引カップ１１６にまだ取り付けられていない方の手のひら側１１８または背面側１２０のうちのもう一方）に接触すると、第２の吸引カップ１２２が吸引力の適用により手袋の上記もう一方側を保持するように作動させられ得る（この位置が図３１（ｄ）に示される）。これは以下のことを意味する：この時点で手袋１４がそのより大きい側面１１８、１２０の両方においてそれぞれの吸引カップ１１６、１２２によって保持されており、したがって、結果として第２の吸引カップ１２２をそれぞれのもう一方の吸引カップ１１６から離れる方向に移動させるために、ブラケット付きのトラック１８０に沿って短い距離だけ戻るように反対方向（矢印Ｍの反対）に側方に駆動するように、関節アーム１７２、ヘッド領域１７４、および吸引カップ１１６の全体を配置する場合に、手袋１４が広げられて開かれ得る。図３０に示されるこの位置の実施形態では、その開いた端部２２のところで人の手を入れるのを可能にするのに十分な広さで手袋１４が広げられる。したがって、使用者が手袋の外側に触れることを必要とすることなく手袋１４の開いた端部（口部分）２２の中に自分の手を挿入することができ、この間は手袋は「親指を上にした」向きで差し出されることになる。手袋の中に手が挿入されると、両方の吸引カップ１１６、１２２に適用される吸込圧力が停止されてよく、それにより手袋の側１１８、１２０を吸引カップ１１６、１２２から解放することが可能となり、その結果、使用者が手袋を身に着けた手を装置から引っ込めることができる。手袋１４が供給された後の最終的な位置の図が図３１（ｅ）に示される。
【０１０３】
次に、図３４および３５を参照すると、関節アーム１７２のヘッド領域１７４の動作を改善するための別の特徴が、供給時にカートリッジ１０内で一様ではなく積み重ねられて位置合わせされた手袋１４の位置を検出するための手段として、使用時に設置用ブラケット１７６の側部のところに設置される光学センサ１８２を使用することであってよい。一形態では、光学センサ１８２がレーザスキャナであってよく、レーザスキャナからの出力信号がヘッド領域１７４の回転および一定角度の枢動（ａｎｇｌｅ  ｐｉｖｏｔｉｎｇ）（つまり、矢印Ｂによって示される３６０度の角度、および矢印Ａによって示される最大９０度の角度）を調整するのに使用され得、その結果、設置用ブラケット１７６に位置する吸引カップ１１６が手袋の外側表面上でより一様な面となるように方向付けられ得るようになるか、または手袋１４の物理的特徴（例えば、縁部の口部分）に位置合わせされ得るようになり、ひいては吸引カップ１１６のところの位置がずれた状態で積み重ねられた手袋１４でも接触および保持を改善することができる。
【０１０４】
上の実施形態のすべてにおいて、空気吸引力の圧力により関節アームのところで手袋に接触して保持するデバイスを表す形状はすべて、正方形形状の前面を有する吸引カップ１１６として典型例として示される。しかし、これらの吸引デバイスは、使い捨てハンドグローブなどの物体を保持するのに適する多くの他の形態として具体化されてもよい。例えば、図３６では、吸引パッド１８４が関節アーム１７２に対して直角に設置されて示されており、横向きおよび「親指を上にした向き」で方向付けられるときの手袋を支持することができる逆Ｔ字形の前面を有し、ここでは、使用時、手袋の親指部分がパッド１８４の最も上側の狭い部分１８６のところで保持され、手袋１４の（背面）主面側がパッド１８４の矩形の主領域（換言すれば、広幅領域）１８８のところで保持される。この実施例では、パッド１８４の表面が滑らかであり、境界部分の周りに位置する小さい空気吸引孔１８５を有する。図３７では、代替的バージョンの吸引デバイス１９０が示されており、これは図３６に示されるパッドと同じ全体としてＴ形のパッド１９０を有するが、吸引孔１９２がより大きく、パッド１９０の全体の表面にわたって列状に一様に離間される。図３８のさらに別の典型例の実施形態では、パッド１９４の面の表面領域がその全体に小さい空気吸引孔１９６を有することで滑らかになっており、このパッドは手袋全体の手の形状となっており、手袋のフィンガを支持するための吸引孔を有する。
【０１０５】
このような吸引デバイスの表面に対して手袋が利用可能とされる状況では、すべての孔が手袋の面またはフィンガによって覆われることになり、そうならない場合には真空の損失が発生する。手袋の一部分に位置合わせされたり覆われたりしていないいかなる吸引パッド孔も隔離するような空気吸引機構が必要であると考えられ、そうでない場合には係合されていない孔を通しての真空の損失が発生し得る。
【０１０６】
説明される実施形態のいずれでも、テレスコープ式アームの運動には、各アームに結合されてそれぞれが互いの方に向かわせるようにおよび互いから離すようにアームを移動させるために伸長および後退する空気圧ピストンが採用され得る。説明される実施形態のいずれでも、吸引カップを使用することの代わりに、機械の中の種々の移動するアームまたは固着点の端部の上で接着性の表面コーティングを採用することも可能となる。理解されるであろうが、接着性の物質は、各々の手袋を対応するアームまたは固着点に接着させるのに十分な粘着性を有し、その結果、その後でアームがアーム駆動組立体により互いから離れるように移動させるときに手袋の側部が引き離されることになり、それにより手袋の口部分が開かれることになる。
【０１０７】
接着性の物質がすり減ることを理由としてまたは残骸物が表面に粘着することの結果として、手袋の開放動作が繰り返された後では、アーム上にコーティングされる上で言及した接着性の物質の接着性が次第に低下する可能性があることから、アームが外され、接着性の物質の新しいコーティングを有する新しいアームと交換されてよいか、あるいは新しい接着性の物質を備える新しいパネルまたは部片を種々のアームの端部に嵌めることができる。別法として、各々のアームが手袋供給装置から定期的に外されて、接着性の表面上に蓄積した任意の望ましくない外部からの残骸物を除去するために洗浄されるかまたは他の形で清潔にされる。
【０１０８】
手袋供給機械が、ラボラトリ、食品製造領域、または手術時手洗い領域、手術室などの中のベンチ上に存在するのにより適するような台設置式または壁設置式であることが見込まれる。図２８および２９に示される２つの形態の機械は、示されるように、立っている人の手の高さの通常の範囲のところに手挿入位置１６２を有する箱状のデバイス１６０である。機械が、手袋開放プロセス中に使用者１６６が内部を見るのを可能にするまたさらには必要に応じて箱またはカートリッジを再補充するタイミングを知るのを可能にするガラスまたはプラスチック１６４の前方窓を有する。さらに、使用者に情報（および、機械の補充状態）を与えるキーパッドまたはタッチスクリーン１６８が存在する。一形態では近接センサが存在し、その近接センサの前で使用者が自分の手を動かして手袋を供給させるようにすることができる。
【０１０９】
説明される実施形態のいずれでも、衛生状態をさらに向上させるために、少なくとも一部の手袋供給機械１１２、１２６、１３６が、殺菌用のＵＶ光（例えば、２００ｎｍから２８０ｎｍの波長範囲、また好適には２５０ｎｍ〜２８０ｎｍの範囲のＵＶ光）を用いての手袋１４の表面処理のために、箱状のハウジング１６０の中に設けられる１つまたは複数の紫外線（ＵＶ）光源をさらに有することができる。ＵＶ光源は、例えば、ＵＶランプまたはＵＶ発光ダイオード（例えば、複数の離間されるＵＶ放出ＬＥＤ（ＵＶ  ｅｍｉｔｔｉｎｇ  ＬＥＤ）を有するＵＶ  ＬＥＤストリップ）から選択されてよい。一実施例では、ＵＶ  ＬＥＤストリップが、未供給の手袋１４のカートリッジ１０の方を向くように、機械ハウジング１６０の内部に設置され得る。
【０１１０】
安全のために、ＵＶ光源は、通常、機械１１２、１２６、１３６内に使用者の手が配置されるときの手袋１４の開いた端部（口部分）２２の開放ステップ中では、および手袋１４の中への手の挿入中では、オフに切り換えられる。これは例えば、近接センサまたはタッチスクリーン１６８が作動させられるときに達成されてよい。また望ましくは、ＵＶ光源は、手挿入位置１６２のカバーが閉じられるときのみ動作することができる。さらに、少なくとも一部の実施形態では、ＵＶ光源の動作の継続時間が制御システムによって制御され、上述の近接センサにより手挿入位置１６２から使用者の手が引っ込められることが検出される後の所定の時間後にのみ制御システムにより再びオンへと切り換えられ得る。しかし、ＵＶ光源の動作の任意の安全モードが採用され得る。
【０１１１】
本開示の言及される手袋は軽量であり、サンドイッチ専門店、デリカテッセン、ならびに客のために食品を扱って製造するためのことを伴うような同様の食品アウトレットで通常使用されるタイプのサンドイッチ用手袋（ｓａｎｄｗｉｃｈ  ｇｌｏｖｅ）を含んでよいが、手袋の層を接着させることができ本明細書で説明されるように手袋を着用するときに引き離すことができるようにする任意適切な手袋のタイプが利用されてもよい。手袋は、例えば、ポリエチレン（ＰＥ：ｐｏｌｙｅｔｈｙｌｅｎｅ）、ビニル（ポリ塩化ビニル）、ニトリル（カルボキシル化ブタジエン‐アクリロニトリル）、またはポリエステルの手袋であってよい。通常、手袋は軽量のポリエチレン（ＰＥ）手袋から選択される。
【０１１２】
手袋を供給するための説明される装置が、手袋のカートリッジが供給装置内で使用されるための純正の認可製品（つまり、ＯＥＭのカートリッジ）であるかまたは非純正のアフターマーケットのアイテムであるかを認識するように構成される認識システムをさらに有することができる。一実施形態では、装置は、カートリッジが純正であることを認識した後でのみ動作可能となり得る。このような構成によると、１つまたは複数の形態で、制御システムが、製品上に位置する情報符号化デバイスに応答指令信号を送るように動作可能であるインタロゲーションシステムと通信可能であるプロセッサを実装することができる。本明細書では、「プロセッサ」という用語は、総じて、プログラムされたコードに基づいて命令を処理することができる任意のデバイスに言及するのに使用され、これには：マイクロプロセッサ、マイクロコントローラ、プログラマブル論理デバイスまたは他の計算デバイス、汎用コンピュータ（例えば、ＰＣ）、あるいはサーバが含まれてよい。
【０１１３】
一実施形態では、インタロゲーションシステムが、カートリッジ上に位置するＲＦＩＤタグ（例えば、ＲＦＩＤスマートラベル）（例えば、接着性物質によって付着される）の形態の情報符号化デバイスを読み取るように制御されるＲＦＩＤリーダを備えることができる。ＲＦＩＤタグは、ＲＦＩＤリーダによって読み取られて次いでプロセッサにより純正の手袋カートリッジであることを示すと解釈され得る任意の所望の情報を用いて符号化され得る。代替的実施形態では、情報符号化デバイスが、プロセッサによって実装されるイメージスキャナによって読取可能である、カートリッジ上に配置されるＱＲコード （登録商標）またはバーコードを備えることができる。例えば、ＱＲコード （登録商標）またはバーコードがそれぞれの手袋の上に印刷されてよいか、またはＱＲコード （登録商標）またはバーコードを有するラベルが、使用時に一列状の手袋を、手袋を供給するための定位置まで送るときにイメージスキャナによって読み取られることになる位置にある手袋のうちの先頭の手袋に添着されてもよい。しかし、手袋のカートリッジ上での情報符号化デバイスの任意適切な構成および位置が明確に包含される。また、認識システムおよび情報符号化デバイスが上述の形態のみに限定されるものとしてみなされるべきではなく、任意適切な電子的なまたは電気機械的なインタロゲーション構成を含むことができることが理解されよう。
【０１１４】
加えて、制御システムが、情報符号化デバイスから抽出される情報が手袋の純正のカートリッジに関連付けられるかどうかを判断するために、リモートシステムと通信する（例えば、インターネットを介する）ための適切な通信ハードウェアおよび通信ソフトウェアをさらに有することができる。リモートシステムが、例えば、制御システムとの通信情報の受信・送信を行うためのサーバコンピュータシステムを実装することができる。
【０１１５】
また、制御システムは、プロセッサの制御下で、手袋をオーダーするためにリモートシステムと通信するように動作可能となり得る。例えば、プロセッサが、ディスペンサの中に手袋の新しいカートリッジが挿入されたタイミングを検出してその信号を出力するセンサと通信可能となり得る。センサ信号を検出することに反応して、プロセッサが、制御システムに、ディスペンサの中に手袋の新しいカートリッジが挿入されたことを示すためにリモートシステムに対して通信情報を送信させることができる。通信情報を受信することに反応して、リモートシステムが、対応する手袋供給装置（例えば、アドレス、または通信情報と共に送信される他の適切な識別状況によって識別される）のための登録されたアドレスへの、手袋の１つまたは複数の新しいカートリッジの発送のオーダーを作り出す。少なくも一部の実施形態では、例えば、リモートシステムが一定期間（例えば、数日または数週間）にわたるディスペンサに導入された手袋カートリッジの数をカウントすることができるかまたは他の形で知ることができ、登録されたアドレスに対して適時に配達することできるように、１つまたは複数の新しい手袋カートリッジ（例えば、新しい手袋カートリッジの１つまたは複数の箱）の発送のためのオーダーを出し、それによりディスペンサの登録された使用者が使い捨て手袋を切らすことがなくなり、それらの要求に見合うように利用可能な手袋の十分なカートリッジを有することになる。
【０１１６】
上記から、本発明による手袋および／または供給装置の少なくとも一部の実施形態が以下の利点のうちの１つまたは複数の利点を提供することが理解されよう。
【０１１７】
・手袋が、使用者に着用されるために開いた状態で迅速かつ好都合に差し出され得る。
・本明細書で説明されるようにカートリッジ内に手袋を提供することにより、従来技術のように複数の手袋が箱から同時に引っ張り出されることが回避される。
・使用者が自分の素手で手袋の外側の触れることがないような形で手袋が開かれて着用され得、それにより手袋の汚染の虞が低減され、衛生状態を向上させることができる。
・手袋のカートリッジが手袋開放装置の中へ迅速に載置され得る。
・手袋開放システムが、移動可能な部分の数を比較的少なくして、手袋を開くための洗練された解決策を提供する。
【０１１８】
特定の実施形態の上述の説明では、明瞭さのために特定の用語に依存してきた。しかし、本開示はそのようにして選択される特定の用語のみに限定されることを意図されず、各々の特定の用語が同様の技術的目的を達成するために同様の手法で動作する他の技術的均等物を含むことを理解されたい。「左側」および「右側」、「前方」および「後方」、ならびに「上方」および「下方」などの用語は基準点を提供するのに好都合である単語として使用されるものであり、限定的な用語として解釈されるべきではない。
【０１１９】
本明細書において任意の従来の刊行物または情報を参照することは、その従来の刊行物または情報が本明細書の関連する努力傾注分野（ｆｉｅｌｄ  ｏｆ  ｅｎｄｅａｖｏｒ）での共通の一般知識の一部を形成することを認めたりまたは許容したり、あるいは何らかの形で提案したりするものとして解釈されず、またそのように解釈されるべきでもない。
本明細書では、「ｃｏｍｐｒｉｓｉｎｇ」という語は「限定的ではない」という意味で理解されるべきであり、つまり「ｉｎｃｌｕｄｉｎｇ」の意味で理解されるべきであり、したがって「限定的」な意味のみに限定されるできではなく、つまり「のみから構成される」という意味のみに限定されない。「ｃｏｍｐｒｉｓｅ」、「ｃｏｍｐｒｉｓｅｄ」、および「ｃｏｍｐｒｉｓｅｓ」という対応する語に対しても、これらの語が現れる場合において、同等の意味が付属する。
【０１２０】
加えて、上記は本発明のいくつかの実施形態のみを説明するが、開示される実施形態の範囲および精神から逸脱することなく、本発明の実施形態に対して、変形、修正、追加、および／または変更が行われてよく、これらの実施形態は例示的であり、限定的ではない。
【０１２１】
さらに、現在最も実際的で好適であると考えられる実施形態に関連させて本発明を説明してきたが、本発明が開示される実施形態のみに限定されず、むしろ、本発明の精神および範囲に含まれる種々の修正形態および均等の構成を包含することを意図されるものであることを理解されたい。また、上述の種々の実施形態は他の実施形態と併せて実施され得、例えば、１つの実施形態の態様が別の実施形態の態様と組み合わされ得、それによりさらに別の実施形態を実現する。また、任意の所与の組立体の各々の独立する特徴または構成要素が追加の実施形態を構成することもできる。
【図１】
2019523836.tif 000003
【図２】
2019523836.tif 000004
【図３】
2019523836.tif 000005
【図４】
2019523836.tif 000006
【図５】
2019523836.tif 000007
【図６】
2019523836.tif 000008
【図７】
2019523836.tif 000009
【図８】
2019523836.tif 000010
【図９】
2019523836.tif 000011
【図１０（ａ）】
2019523836.tif 000012
【図１０（ｂ）】
2019523836.tif 000013
【図１０（ｃ）】
2019523836.tif 000014
【図１０（ｄ）】
2019523836.tif 000015
【図１０（ｅ）】
2019523836.tif 000016
【図１０（ｆ）】
2019523836.tif 000017
【図１１】
2019523836.tif 000018
【図１２（ａ）】
2019523836.tif 000019
【図１２（ｂ）】
2019523836.tif 000020
【図１２（ｃ）】
2019523836.tif 000021
【図１２（ｄ）】
2019523836.tif 000022
【図１２（ｅ）】
2019523836.tif 000023
【図１２（ｆ）】
2019523836.tif 000024
【図１３】
2019523836.tif 000025
【図１４（ａ）−１４（ｂ）】
2019523836.tif 000026
【図１５（ａ）】
2019523836.tif 000027
【図１５（ｂ）】
2019523836.tif 000028
【図１６（ａ）−１６（ｄ）】
2019523836.tif 000029
【図１７（ａ）−１７（ｂ）】
2019523836.tif 000030
【図１８（ａ）】
2019523836.tif 000031
【図１８（ｂ）】
2019523836.tif 000032
【図１９】
2019523836.tif 000033
【図２０】
2019523836.tif 000034
【図２１（ａ）】
2019523836.tif 000035
【図２１（ｂ）】
2019523836.tif 000036
【図２１（ｃ）】
2019523836.tif 000037
【図２１（ｄ）】
2019523836.tif 000038
【図２１（ｅ）】
2019523836.tif 000039
【図２２】
2019523836.tif 000040
【図２３（ａ）】
2019523836.tif 000041
【図２３（ｂ）】
2019523836.tif 000042
【図２３（ｃ）】
2019523836.tif 000043
【図２３（ｄ）】
2019523836.tif 000044
【図２３（ｅ）】
2019523836.tif 000045
【図２３（ｆ）】
2019523836.tif 000046
【図２３（ｇ）】
2019523836.tif 000047
【図２３（ｈ）】
2019523836.tif 000048
【図２４】
2019523836.tif 000049
【図２５（ａ）】
2019523836.tif 000050
【図２５（ｂ）】
2019523836.tif 000051
【図２５（ｃ）】
2019523836.tif 000052
【図２５（ｄ）】
2019523836.tif 000053
【図２５（ｅ）】
2019523836.tif 000054
【図２５（ｆ）】
2019523836.tif 000055
【図２６】
2019523836.tif 000056
【図２７（ａ）】
2019523836.tif 000057
【図２７（ｂ）】
2019523836.tif 000058
【図２８】
2019523836.tif 000059
【図２９】
2019523836.tif 000060
【図３０】
2019523836.tif 000061
【図３１（Ａ）】
2019523836.tif 000062
【図３１（Ｂ）】
2019523836.tif 000063
【図３１（Ｃ）】
2019523836.tif 000064
【図３１（Ｄ）】
2019523836.tif 000065
【図３１（Ｅ）】
2019523836.tif 000066
【図３２】
2019523836.tif 000067
【図３３】
2019523836.tif 000068
【図３４】
2019523836.tif 000069
【図３５】
2019523836.tif 000070
【図３６】
2019523836.tif 000071
【図３７】
2019523836.tif 000072
【図３８】
2019523836.tif 000073
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
手袋用カートリッジであって、
−  ベースと、
−  複数の使い捨て手袋のフィンガ部分を位置合わせするように使用時に構成される第１の要素と、
−  互いに隣接する複数の使い捨て手袋であって、各手袋が、隣接する手袋に対して積み重ねられるように位置合わせされる、複数の使い捨て手袋と、
を備え、
前記第１の要素が細長いストリップを備え、前記ストリップが、使用時に、上方に方向付けられ、前記ベースに対して横向きに置かれるように前記手袋のそれぞれの２つの隣接するフィンガの間に位置する、カートリッジ。
【請求項２】
前記第１の要素が２つの細長いストリップを備え、各ストリップが使用時にそれぞれの手袋の２つの異なる隣接するフィンガの間に位置する、請求項１に記載のカートリッジ。
【請求項３】
前記または各々の細長いストリップが、前記ストリップの２つの側部に沿って、脆弱接続部分を有する、前記ベースの一部分を形成し、使用時に前記または各々のストリップは、前記脆弱接続部分が破損すると、前記ベースの残りの部分から延在するようにヒンジ式に展開可能であり、前記ストリップが前記ストリップの一方の端部において前記ベースの前記残りの部分にヒンジ式につながる、請求項１または請求項２に記載のカートリッジ。
【請求項４】
前記１つまたは複数の細長いストリップが、使用時に前記カートリッジの前記ベースの上に積み重ねられた、前記隣接する位置合わせされた手袋の最大深さに少なくとも等しい所定の高さを有する、請求項１から請求項３のいずれか１項に記載のカートリッジ。
【請求項５】
前記複数の手袋の各々の手袋の第１の部分を位置合わせするように使用時に構成される第２の要素をさらに備える、請求項１から４のいずれか１項に記載のカートリッジ。
【請求項６】
前記手袋の前記第１の部分が、前記手袋の前記フィンガ部分から遠位側にある、前記手袋の開いた端部である、請求項５に記載のカートリッジ。
【請求項７】
前記第２の要素が互いから離間される２つの隆起部分を備え、使用時に、前記２つの隆起部分の間に、前記または各々の手袋の前記開いた端部が置かれる、請求項６に記載のカートリッジ。
【請求項８】
前記２つの隆起部分が、概して前記手袋の前記開いた端部の幅である長さだけ離間される、請求項７に記載のカートリッジ。
【請求項９】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項７または請求項８に記載のカートリッジ。
【請求項１０】
前記手袋の前記第１の部分が、平らに置かれた前記手袋の左側縁部および右側縁部のうちの一方または両方である、請求項５に記載のカートリッジ。
【請求項１１】
前記第２の要素が、概して、平らに置かれた前記手袋の前記左側縁部と前記右側縁部の間の幅である長さだけ互いから離間される２つの隆起部分を備える、請求項１０に記載のカートリッジ。
【請求項１２】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項１１に記載のカートリッジ。
【請求項１３】
前記カートリッジが使用時にクロージャ内で受けられるように構成される、請求項１から１２のいずれか１項に記載のカートリッジ。
【請求項１４】
前記クロージャが、前記ベース、および展開位置にあるときの前記第１の要素を収容するようにサイズ決定される蓋付き箱である、請求項１３に記載のカートリッジ。
【請求項１５】
前記ベースが前記クロージャの中へ摺動可能に受けられるように構成される、請求項１３または請求項１４に記載のカートリッジ。
【請求項１６】
前記カートリッジがクロージャの一部分を形成する、請求項１から１２のいずれか１項に記載のカートリッジ。
【請求項１７】
前記クロージャが、前記ベースを有しており、展開位置にあるときの前記第１の要素を収容するようにサイズ決定される蓋付き箱である、請求項１６に記載のカートリッジ。
【請求項１８】
隣接する、位置合わせされた複数の使い捨て手袋をカートリッジ内で前記カートリッジのベースの上方で位置決めするための方法であって、前記カートリッジは、複数の使い捨て手袋のフィンガ部分を位置合わせするように使用時に構成される第１の要素を備えており、
フィンガ部分が前記カートリッジの前記第１の要素と近位の関係において位置合わせされるように各手袋を位置決めするステップであって、前記第１の要素は、前記ベースに対して横向きに置かれるように、使用時に上方に方向付けられ、各手袋の２つの隣接するフィンガの間に位置し、各手袋が前記カートリッジ内で、隣接する手袋に対して積み重ねられるように位置合わせされる、ステップを含む、方法。
【請求項１９】
前記第１の要素が１つまたは複数の細長いストリップを備え、
前記または各々の細長いストリップが、前記ストリップの２つの側部に沿って配置される脆弱接続部分を破損させるステップ、次いで前記ベースの残りの部分に接合される前記ストリップの端部の周りで前記ストリップを移動させることにより前記ベースの前記残りの部分から延在するように前記ストリップをヒンジ式に展開するステップにより、前記ベースの一部分から形成される、請求項１８に記載の方法。
【請求項２０】
前記または各々の手袋の２つの隣接するフィンガの間に１つのストリップを位置させると同時に前記または各々の手袋の別の異なる２つの隣接するフィンガの間に第２のストリップを位置させるステップを含む、請求項１９に記載の方法。
【請求項２１】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項１９に記載の方法。
【請求項２２】
前記手袋の第１の部分が前記カートリッジの第２の要素に位置合わせされるように各手袋を位置決めするステップをさらに含み、各手袋が、前記第１および第２の要素に対する近位の関係により、前記カートリッジ内で隣接する手袋に対して積み重ねられるように位置合わせされる、請求項１８から２１のいずれか１項に記載の方法。
【請求項２３】
前記手袋の前記第１の部分が、前記手袋の前記フィンガ部分から遠位側にある、前記手袋の開いた端部である、請求項２２に記載の方法。
【請求項２４】
前記第２の要素が、前記ベースから延在しており、概して前記手袋の前記開いた端部の幅である長さだけ互いから離間される２つの隆起部分を備え、前記方法が、前記２つの隆起部分の間に前記手袋の前記第１の部分を置くステップを含む、請求項２３に記載の方法。
【請求項２５】
前記手袋の前記第１の部分が、平らに置かれるときの前記手袋の左側縁部および右側縁部のうちの一方または両方である、請求項２４に記載の方法。
【請求項２６】
前記第２の要素が、前記ベースから延在した２つの隆起部分であって、概して、平らに置かれたときの前記手袋の前記左側縁部と前記右側縁部の間の幅である長さだけ互いから離間される２つの隆起部分を備え、前記方法が、前記２つの隆起部分の間に前記手袋を置くステップを含む、請求項２５に記載の方法。
【請求項２７】
前記カートリッジをクロージャ内に位置させるか、または前記カートリッジ自体がクロージャの一部分を形成する場合には前記カートリッジの周りにクロージャを形成するステップをさらに含む、請求項１８から２６のいずれか１項に記載の方法。
【請求項２８】
前記クロージャを密閉するステップをさらに含む、請求項２７に記載の方法。
【請求項２９】
手袋用カートリッジであって、
−  ベースと、
−  複数の使い捨て手袋の第１の部分を位置合わせするように使用時に構成される第１の要素と、
−  前記第１の要素によって位置合わせされる、隣接する複数の使い捨て手袋と、を備え、
前記第１の部分が、前記手袋のフィンガ部分から遠位側にある、前記手袋の開いた端部を備え、
前記第１の要素が、前記ベースに対して横向きに置かれるように使用時に上方に方向付けられる２つの隆起部分を備え、
前記２つの隆起部分が、概して各手袋の前記開いた端部の幅である長さだけ互いから離間され、使用時に前記２つの隆起部分の間に、各手袋の前記開いた端部が置かれる、カートリッジ。
【請求項３０】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項２９に記載のカートリッジ。
【請求項３１】
手袋用カートリッジであって、
−  ベースと、
−  複数の使い捨て手袋の第１の部分を位置合わせするように使用時に構成される第１の要素と、
−  前記第１の要素によって位置合わせされる、隣接する複数の使い捨て手袋と、を備え、
前記手袋の前記第１の部分が、平らに置かれた前記手袋の左側縁部および右側縁部のうちの一方または両方であり、
前記第１の要素が、前記ベースに対して横向きに置かれるように使用時に上方に方向付けられる２つの隆起部分を備え、
前記２つの隆起部分が、概して、平らに置かれた前記手袋の左側縁部および右側縁部の間の幅である長さだけ互いから離間される、カートリッジ。
【請求項３２】
前記２つの隆起部分が前記ベースから延在し、使用時に前記カートリッジの前記ベース上に積み重ねられた、前記隣接する位置合わせされた手袋の最大深さに少なくとも等しい所定の高さを有する、請求項３１に記載のカートリッジ。
【請求項３３】
前記複数の手袋の前記フィンガ部分を位置合わせするように使用時に構成される第２の要素をさらに備える、請求項２９から３２のいずれか１項に記載のカートリッジ。
【請求項３４】
前記第２の要素が１つまたは複数の細長いストリップを備え、前記または各々のストリップが使用時に前記手袋の任意の２つの隣接するフィンガの間に位置する、請求項３３に記載のカートリッジ。
【請求項３５】
前記第２の要素が２つの細長いストリップを備え、各ストリップが展開時に前記手袋の２つの異なる隣接するフィンガの間に位置する、請求項３４に記載のカートリッジ。
【請求項３６】
前記または各々の細長いストリップが、前記ストリップの２つの側部に沿って、脆弱接続部分を有する、前記ベースの一部分を形成し、使用時に前記または各々のストリップが、前記脆弱接続部分が破損すると前記ベースの残りの部分から延在するようにヒンジ式に展開可能であり、前記ストリップが前記ストリップの一方の端部において前記ベースの前記残りの部分にヒンジ式につながる、請求項３４または３５に記載のカートリッジ。
【請求項３７】
前記１つまたは複数の細長いストリップが、使用時に前記カートリッジの前記ベース上に積み重ねられた、前記隣接する位置合わせされた手袋の最大深さに少なくとも等しい所定の高さを有する、請求項３４から請求項３７のいずれか１項に記載のカートリッジ。
【請求項３８】
前記カートリッジが使用時にクロージャ内で受けられるように構成される、請求項２９から３７のいずれか１項に記載のカートリッジ。
【請求項３９】
前記クロージャが、前記ベース、および展開位置にあるときの前記第１の要素を収容するようにサイズ決定される蓋付き箱である、請求項３８に記載のカートリッジ。
【請求項４０】
前記ベースが前記クロージャの中で摺動可能に受けられるように構成される、請求項３８または請求項３９に記載のカートリッジ。
【請求項４１】
前記カートリッジが前記クロージャの一部分を形成する、請求項２９から３７のいずれか１項に記載のカートリッジ。
【請求項４２】
前記クロージャが、前記ベースを有しており、展開位置にあるときの前記第１の要素を収容するようにサイズ決定される蓋付き箱である、請求項４１に記載のカートリッジ。
【請求項４３】
隣接する、位置合わせされた複数の使い捨て手袋をカートリッジ内で前記カートリッジのベースの上方で位置決めするための方法であって、第１の部分が前記カートリッジの第１の要素と近位の関係において位置合わせされるように各手袋を位置決めするステップであって、各手袋が前記カートリッジ内で、隣接する手袋に対して積み重ねられるように位置合わせされる、ステップを含み、
前記手袋の前記第１の部分が、平らに置かれた前記手袋の左側縁部および右側縁部のうちの一方または両方を備え、随意に前記第１の部分が、前記手袋のフィンガ部分から遠位側にある、前記手袋の開いた端部を備えることができる、方法。
【請求項４４】
前記第１の要素が前記開いた端部を備えるとき、前記ベースから延在し、概して前記手袋の前記開いた端部の幅である長さだけ互いから離間される２つの隆起部分が存在し、前記方法が、前記２つの隆起部分の間に前記手袋の前記第１の部分を置くステップを含む、請求項４３に記載の方法。
【請求項４５】
前記第１の要素が前記手袋の左側縁部および右側縁部のうちの一方または両方を備えるとき、前記ベースから延在し、概して、平らに置かれたときの前記手袋の前記左側縁部と前記右側縁部の間の幅である長さだけ互いから離間される２つの隆起部分が存在し、前記方法が、前記２つの隆起部分の間に前記手袋を置くステップを含む、請求項４３に記載の方法。
【請求項４６】
前記手袋の前記フィンガ部分が前記カートリッジの第２の要素に位置合わせされるように各手袋を位置決めするステップをさらに含み、各手袋が、前記第１および第２の要素に対する近位の関係により、前記カートリッジ内で、隣接する手袋に対して積み重ねられるように位置合わせされる、請求項４３から４５のいずれか１項に記載の方法。
【請求項４７】
前記第２の要素が１つまたは複数の細長いストリップを備え、前記方法が、前記手袋の任意の２つの隣接するフィンガの間に前記または各々のストリップを位置させるステップを含む、請求項４６に記載の方法。
【請求項４８】
前記または各々の細長いストリップが、前記ストリップの２つの側部に沿って配置される脆弱接続部分を破損させるステップ、次いで前記ベースの残りの部分に接合される前記ストリップの端部の周りで前記ストリップを移動させることにより前記ベースの残りの部分から延在するように前記ストリップをヒンジ式に展開するステップにより、前記ベースの一部分から形成される、請求項４７に記載の方法。
【請求項４９】
前記または各々の手袋の２つの隣接するフィンガの間に１つのストリップを位置させると同時に前記または各々の手袋の別の２つの隣接するフィンガの間に第２のストリップを位置させるステップを含む、請求項４７または請求項４８に記載の方法。
【請求項５０】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項４７または請求項４８に記載の方法。
【請求項５１】
前記カートリッジをクロージャ内に位置させるか、または前記カートリッジ自体がクロージャの一部分を形成する場合には前記カートリッジの周りに前記クロージャを形成するステップをさらに含む、請求項４３から５０のいずれか１項に記載の方法。
【請求項５２】
前記クロージャを密閉するステップをさらに含む、請求項５１に記載の方法。
【請求項５３】
隣接する、位置合わせされた複数の使い捨て手袋を支持する方法であって、
−  平面的要素を各手袋の開いた端部の中に摩擦により嵌合させるステップと、
−  前記または各々の手袋の中に嵌められた前記平面的要素が、カートリッジから延在する第１の要素に接触しているように前記手袋を位置決めするステップと
を含み、
前記または各々の手袋が、前記平面的要素および前記第１の要素の位置関係により位置合わせされるように支持される、
方法。
【請求項５４】
前記手袋のフィンガ部分が、前記カートリッジから延在する第２の要素に位置合わせされるように、前記または各々の手袋を位置決めするステップをさらに含む、請求項５３に記載の方法。
【請求項５５】
前記第２の要素が１つまたは複数の細長いストリップを備え、前記方法が、それぞれの手袋の任意の２つの隣接するフィンガの間に前記または各々のストリップを位置させるステップを含む、請求項５３または請求項５４に記載の方法。
【請求項５６】
前記または各々の手袋の２つの隣接するフィンガの間に１つのストリップを位置させると同時に前記または各々の手袋の別の２つの隣接するフィンガの間に第２のストリップを位置させるステップを含む、請求項５５に記載の方法。
【請求項５７】
前記または各々の手袋の２つの隣接するフィンガの間に１つのストリップを位置させると同時に前記または各々の手袋の前記２つの隣接するフィンガのうちの１つのフィンガと第３のフィンガとの間に第２のストリップを位置させるステップを含む、請求項５５に記載の方法。
【請求項５８】
前記または各々の手袋から前記平面的要素を取り除くステップをさらに含む、請求項５３から５７のいずれか１項に記載の方法。
【請求項５９】
前記カートリッジをクロージャ内に位置させるか、または前記カートリッジ自体がクロージャの一部分を形成する場合には前記カートリッジの周りに前記クロージャを形成するステップをさらに含む、請求項４４から４９のいずれか１項に記載の方法。
【請求項６０】
前記クロージャを密閉するステップをさらに含む、請求項５９に記載の方法。
【請求項６１】
使い捨て手袋を供給するように構成される機械であって、
−  前記手袋の第１の部分に接触し前記第１の部分を保持するように、および１つまたは複数の手袋を収容するカートリッジ内に前記手袋が位置する第１の位置から、前記手袋の第２の部分が固着手段に接触し、前記固着手段によって保持されることが可能である第２の位置まで前記手袋を移動させるように、使用時に構成される関節アーム
を備え、
前記第２の位置になると、前記関節アームおよび固着手段の一方または両方が他方を基準として或る方向に移動可能となり、それにより使用時に前記手袋をその開いた端部において十分な広さまで広げて、それにより人間の手を入れることを可能にする、
機械。
【請求項６２】
前記関節アームが、前記手袋を前記第２の位置まで移動させるときに枢動可能に移動する、請求項６１に記載の機械。
【請求項６３】
前記関節アームが、前記機械の内部壁に位置する設置位置を中心として枢動可能に移動する、請求項６２に記載の機械。
【請求項６４】
前記固着手段が支持アームに配置され、前記支持アーム自体が前記固着手段を前記第２の位置まで移動させるように移動可能である、請求項６１から請求項６３のいずれか１項に記載の機械。
【請求項６５】
前記支持アームが細長く、前記関節アームの方に向かうかまたは前記関節アームから離れるかのいずれにおいても、その長手方向に沿って軸方向に移動可能である、請求項６４に記載の機械。
【請求項６６】
前記支持アームがテレスコープ式である、請求項６５に記載の機械。
【請求項６７】
前記関節アームが細長く、前記カートリッジの方に向かうかまたは前記カートリッジから離れるかのいずれにおいても、その長手方向に沿って軸方向に移動可能である、請求項６１に記載の機械。
【請求項６８】
前記手袋が前記第１の位置から移動された後、前記カートリッジが、前記関節アームの移動の軸方向に位置合わせされた状態から外れるように横方向に移動可能である、請求項６７に記載の機械。
【請求項６９】
前記カートリッジの前記横方向の移動により前記固着手段が露出し、前記固着手段が前記関節アームの移動の軸方向に位置合わせされて位置する、請求項６８に記載の機械。
【請求項７０】
使用時において、前記固着手段の方に向かう、前記関節アームのその移動の前記軸方向に沿ったさらなる移動によって、前記手袋が前記第２の位置に移動することになる、請求項６９に記載の機械。
【請求項７１】
前記関節アームのヘッド領域が前記関節アームの軸に接合されて前記関節アームの軸を中心として枢動可能であり、それにより、前記手袋を前記第１の位置から離すように移動させることの一部として、前記手袋が前記第１の位置にあるときに前記ヘッド領域を前記手袋の向きに位置合わせすることが可能となる、請求項７０に記載の機械。
【請求項７２】
前記ヘッド領域を前記手袋の物理的特徴部分に位置合わせすることを可能にするために前記関節アームの前記ヘッド領域に位置合わせ感知デバイスが取り付けられ、それにより前記関節アームのところでの前記手袋の接触および保持を改善する、請求項７１に記載の機械。
【請求項７３】
前記関節アームが細長く、その長手方向に沿って軸方向に移動可能であり、このような移動の１つが、前記手袋を前記第１の位置から離すように移動させることの一部として、前記カートリッジから離れるような移動である、請求項７１または請求項７２に記載の機械。
【請求項７４】
前記細長い関節アームがその長手方向に沿って軸方向にテレスコープ式に移動可能である、請求項７３に記載の機械。
【請求項７５】
前記関節アームの前記ヘッド領域の軸がさらに、前記細長い関節アームの移動の軸方向に位置合わせされないような向きに回転可能であり、それは、（ｉ）前記手袋を前記第１の位置から離すように移動させるために、前記手袋が前記第１の位置にあるときに、前記ヘッド領域を前記手袋の向きに位置合わせするのを可能にすること、および（ｉｉ）前記手袋を前記第２の位置に向かって移動させること、のうちの少なくとも１つを目的とする、請求項７３または請求項７４に記載の機械。
【請求項７６】
前記手袋を前記第２の位置の方に移動させることの一部として、前記ヘッド領域の軸が前記固着手段の向きの軸に位置合わせされるように回転可能である、請求項７５に記載の機械。
【請求項７７】
前記関節アームおよび前記ヘッド領域がさらに、前記手袋を前記第２の位置まで移動させて前記固着手段に接触させるために前記固着手段に向かう方向に移動可能となるように構成される、請求項７５または請求項７６に記載の機械。
【請求項７８】
前記関節アームにおいて、または適用可能である場合には前記関節アームの前記ヘッド領域において前記手袋の接触および保持を行うことが、吸引デバイスによるものであり、前記吸引デバイスが手袋の第１または第２の側を前記吸引デバイスに保持するのに空気圧を使用する、請求項６１から請求項７７のいずれか１項に記載の機械。
【請求項７９】
前記固着手段における前記手袋の接触および保持が吸引デバイスによるものであり、前記吸引デバイスが手袋の前記第１の側または第２の側のうちの他方を前記吸引デバイスに保持するのに空気圧を使用する、請求項７８に記載の機械。
【請求項８０】
前記吸引デバイスが、支持表面に配置される少なくとも１つの吸引カップまたは吸引孔を備える、請求項７８または請求項７９に記載の機械。
【請求項８１】
複数の吸引カップまたは吸引孔が、手袋の手のひら及び親指領域に位置合わせされる複数の位置で、アレイを形成するように、前記支持表面に配置される、請求項８０に記載の機械。
【請求項８２】
前記吸引カップまたは吸引孔がさらに、手袋のフィンガに位置合わせされる複数の位置で、アレイを形成するように、前記支持表面に配置される、請求項８１に記載の機械。
【請求項８３】
前記手袋の前記第１の部分が、前記手袋の手のひら側および前記手袋の背面側を含む群のうちの１つであり、前記手袋の前記第２の部分が、前記手のひら側および前記背面側を含む群のうちの他方の側である、請求項６１から請求項８２のいずれか１項に記載の機械。
【請求項８４】
使い捨て手袋を供給するための方法であって、
−  カートリッジ内に位置する第１の位置に位置する前記手袋の第１の部分に接触し、前記第１の部分を保持するために関節アームを移動させるステップと、
−  前記カートリッジから前記手袋を第２の位置へと移動させるステップであって、前記第２の位置では前記手袋の第２の部分を固着手段に接触させ、固着手段によって保持することができる、ステップと、
前記第２の位置になると、前記関節アーム及び前記固着手段の一方または両方を他方を基準とした或る方向に移動させるステップであって、それにより使用時に前記手袋をその開いた端部において十分な広さまで広げて、それにより人間の手を入れることを可能にする、ステップと
を含む
方法。
【請求項８５】
前記第１の位置の前記関節アームにおいて前記手袋に接触して前記手袋を保持するステップが、吸引デバイスを起動するステップによって達成される、請求項８４に記載の方法。
【請求項８６】
前記第２の位置へと前記手袋を移動させるステップが、前記関節アームを枢動させるかまたはその軸方向の長さに沿う方向に移動させることを目的として前記関節アームの移動を始動させることによって達成される、請求項８４または請求項８５に記載の方法。
【請求項８７】
前記固着手段の移動が、関節アームを起動するステップによって達成される、請求項８４から請求項８６のいずれか１項に記載の方法。
【請求項８８】
前記関節アームに対して前記カートリッジを摺動可能に移動させるステップを含む、請求項８４から請求項８６のいずれか１項に記載の方法。
【請求項８９】
前記カートリッジを摺動可能に移動させるステップによって固着手段が露出する、請求項８８に記載の方法。
【請求項９０】
前記手袋の第１の部分に接触させてその第１の部分を保持するために関節アームを移動させるステップが、前記関節アームのヘッド領域を前記手袋に位置合わせするように前記関節アームの軸を中心として前記ヘッド領域を枢動させるステップをさらに含み、このステップが、前記手袋の物理的特徴部分を検出するための位置合わせ感知デバイスによって誘導される、請求項８４から請求項８６のいずれか１項に記載の方法。
【請求項９１】
前記手袋の第２の部分を前記固着手段に接触させて保持することができる前記第２の位置まで前記手袋を移動させるステップが、前記手袋を前記固着手段の向きの軸に位置合わせするところまで運ぶ、前記関節アームの前記ヘッド領域の軸を回転させるステップを含む、請求項９０に記載の方法。
【請求項９２】
前記手袋の前記第２の部分を前記固着手段に接触させて保持することができる前記第２の位置まで前記手袋を移動させるステップが、前記固着手段に向かう方向に前記関節アームおよび前記ヘッド領域を移動させるステップを含む、請求項９１に記載の方法。
【請求項９３】
前記固着手段において前記第２の位置で前記手袋の接触および保持を行うことが、吸引デバイスを起動するステップによって達成される、請求項８４から請求項９２のいずれか１項に記載の方法。
【国際調査報告】
2019523836.tif 000074
2019523836.tif 000075
2019523836.tif 000076
2019523836.tif 000077
2019523836.tif 000078